(57)【特許請求の範囲】
【請求項１】
ユーザに情報を提供する情報提供装置と、前記情報提供装置に複数のディジタルデータを配信する情報提供サーバと、を有する情報提供システムであって、
前記ディジタルデータには、前記情報提供装置が前記情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記情報提供サーバは、
前記複数のディジタルデータを予め記憶する記憶手段と、
前記記憶されている複数のディジタルデータを前記情報提供装置に送信するコンテンツ送信手段と、
を備え、
前記情報提供装置は、
前記情報提供サーバから前記複数のディジタルデータを受信するコンテンツ受信手段と、
前記コンテンツ受信手段が前記蓄積型のディジタルデータを受信すると、前記受信された蓄積型のディジタルデータを記憶する記憶手段と、
前記コンテンツ受信手段が前記即時型のディジタルデータを受信すると、前記受信された即時型のディジタルデータを直ちに再生し、前記ユーザから前記情報提供装置の前記記憶手段に記憶された蓄積型のディジタルデータを再生する指示があると、前記情報提供装置の前記記憶手段に記憶された蓄積型のディジタルデータを再生する再生手段と、
前記蓄積型のディジタルデータが再生されることにより表示される画面内に含まれる複数のボタンのうちのいずれかを選択する指示入力を前記ユーザから受け付ける入力受付手段と、
前記受け付けられた指示入力が示すボタンに予め対応付けられるディジタルデータの識別符号と、所定のフラグ情報とを、注文情報として、前記情報提供サーバに送信する注文送信手段と、
を備え、
前記情報提供サーバは、更に、
前記注文情報を前記情報提供装置から受信する注文受信手段を備え、
前記コンテンツ送信手段は、前記注文受信手段によって前記注文情報が受信されると、前記注文情報が前記情報提供サーバによって受け付けられた旨を、前記即時型のコンテンツデータとして、前記情報提供装置に送信する、
ことを特徴とする情報提供システム。
【請求項２】
複数のディジタルデータを再生することによりユーザに情報を提供する情報提供装置であって、
前記ディジタルデータには、前記情報提供装置が情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記情報提供サーバから前記複数のディジタルデータを受信するコンテンツ受信手段と、
前記コンテンツ受信手段が前記蓄積型のディジタルデータを受信すると、前記受信された蓄積型のディジタルデータを記憶する記憶手段と、
前記コンテンツ受信手段が前記即時型のディジタルデータを受信すると、前記受信された即時型のディジタルデータを直ちに再生し、前記ユーザから前記記憶手段に記憶された蓄積型のディジタルデータを再生する指示があると、前記記憶手段に記憶された蓄積型のディジタルデータを再生する再生手段と、
前記蓄積型のディジタルデータが再生されることにより表示される画面内に含まれる複数のボタンのうちのいずれかを選択する指示入力を前記ユーザから受け付ける入力受付手段と、
前記受け付けられた指示入力が示すボタンに予め対応付けられるディジタルデータの識別符号と、所定のフラグ情報とを、注文情報として、前記情報提供サーバに送信する注文送信手段と、
を備えることを特徴とする情報提供装置。
【請求項３】
ユーザに情報を提供する情報提供装置に複数のディジタルデータを配信する情報提供サーバであって、
前記ディジタルデータには、前記情報提供装置が前記情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記複数のディジタルデータを予め記憶する記憶手段と、
前記記憶されている複数のディジタルデータを前記情報提供装置に送信するコンテンツ送信手段と、
を備え、
前記コンテンツ送信手段は、
複数のボタンのうちのいずれかを選択する指示入力を前記ユーザから受け付ける画面を表すディジタルデータを、前記蓄積型のディジタルデータとして前記情報提供装置に送信し、
前記ユーザから受け付けられた指示入力が示すボタンに予め対応付けられるディジタルデータの識別符号と、所定のフラグ情報と、を含む注文情報を前記情報提供装置から受信すると、前記注文情報が前記情報提供サーバによって受け付けられた旨を、前記即時型のコンテンツデータとして前記情報提供装置に送信する、
ことを特徴とする情報提供サーバ。
【請求項４】
前記コンテンツ送信手段により送信された前記複数のディジタルデータのうち前記ユーザによって選択されたいずれかのディジタルデータの識別符号と、所定のフラグ情報とを対応付けて表される注文情報を、前記情報提供装置から受信する注文受信手段と、
前記受信された注文情報に基づいて、前記ユーザによる注文内容を特定し、前記特定した注文内容を所定の注文受付端末に通知する注文通知手段と、
を更に備えることを特徴とする、請求項３に記載の情報提供サーバ。
【請求項５】
複数のディジタルデータを再生することによりユーザに情報を提供する情報提供装置にて実行される情報提供方法であって、
前記ディジタルデータには、前記情報提供装置が情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記情報提供サーバから前記複数のディジタルデータを受信するコンテンツ受信ステップと、
前記コンテンツ受信ステップにおいて前記蓄積型のディジタルデータが受信されると、前記受信された蓄積型のディジタルデータを記憶部に記憶する記憶ステップと、
前記コンテンツ受信ステップにおいて前記即時型のディジタルデータが受信されると、前記受信された即時型のディジタルデータを直ちに再生し、前記ユーザから前記記憶部に記憶された蓄積型のディジタルデータを再生する指示があると、前記記憶部に記憶された蓄積型のディジタルデータを再生する再生ステップと、
前記蓄積型のディジタルデータが再生されることにより表示される画面内に含まれる複数のボタンのうちのいずれかを選択する指示入力を前記ユーザから受け付ける入力受付ステップと、
前記受け付けられた指示入力が示すボタンに予め対応付けられるディジタルデータの識別符号と、所定のフラグ情報とを、注文情報として、前記情報提供サーバに通知する注文送信ステップと、
を備えることを特徴とする情報提供方法。
【請求項６】
記憶部を有し、ユーザに情報を提供する情報提供装置に複数のディジタルデータを配信する情報提供サーバにて実行される情報提供方法であって、
前記ディジタルデータには、前記情報提供装置が前記情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記記憶部には、前記複数のディジタルデータが予め記憶され、
前記記憶されている複数のディジタルデータを前記情報提供装置に送信するコンテンツ送信ステップと、
を備え、
前記コンテンツ送信ステップでは、
複数のボタンのうちのいずれかを選択する指示入力を前記ユーザから受け付ける画面を表すディジタルデータを、前記蓄積型のディジタルデータとして前記情報提供装置に送信し、
前記ユーザから受け付けられた指示入力が示すボタンに予め対応付けられるディジタルデータの識別符号と、所定のフラグ情報と、を含む注文情報を前記情報提供装置から受信すると、前記注文情報が前記情報提供サーバによって受け付けられた旨を、前記即時型のコンテンツデータとして前記情報提供装置に送信する、
ことを特徴とする情報提供方法。
【請求項７】
通信エリア外で再生可能な蓄積型のディジタルデータと、前記情報提供サーバからの受信後直ちに再生する即時型のディジタルデータと、を受信するコンピュータを、
注文対象の商品又は役務の種類と、前記注文対象の商品又は役務の数と、の組み合わせを示す情報、及び、ディジタルデータの識別情報が含まれる複数の前記ディジタルデータを送信する前記情報提供サーバから、前記複数のディジタルデータを受信するコンテンツ受信手段、
前記コンテンツ受信手段が前記蓄積型のディジタルデータを受信すると、前記受信された蓄積型のディジタルデータを記憶部に記憶する記憶手段、
前記コンテンツ受信手段が前記即時型のディジタルデータを受信すると、前記受信された即時型のディジタルデータを直ちに再生し、前記ユーザから前記記憶部に記憶された蓄積型のディジタルデータを再生する指示があると、前記記憶部に記憶された蓄積型のディジタルデータを再生する再生手段、
前記蓄積型のディジタルデータが再生されることにより表示される画面内に含まれる複数のボタンのうちのいずれかを選択する指示入力を前記ユーザから受け付ける入力受付手段、
前記受け付けられた指示入力が示すボタンに予め対応付けられるディジタルデータの識別符号と、所定のフラグ情報とを、注文情報として、前記情報提供サーバに送信する注文送信手段、
として機能させることを特徴とするプログラム。
【請求項８】
通信エリア外で再生可能な蓄積型のディジタルデータと、受信後直ちに再生される即時型のディジタルデータと、を送信するコンピュータを、
注文対象の商品又は役務の種類と、前記注文対象の商品又は役務の数と、の組み合わせを示す情報、及び、ディジタルデータの識別情報が含まれる複数の前記ディジタルデータを予め記憶部に記憶する記憶手段、
前記記憶されている複数のディジタルデータを、ユーザが操作する情報提供装置に送信するコンテンツ送信手段、
として機能させ、
前記コンテンツ送信手段は、
複数のボタンのうちのいずれかを選択する指示入力を前記ユーザから受け付ける画面を表すディジタルデータを、前記蓄積型のディジタルデータとして前記情報提供装置に送信し、
前記ユーザから受け付けられた指示入力が示すボタンに予め対応付けられるディジタルデータの識別符号と、所定のフラグ情報と、を含む注文情報を前記情報提供装置から受信すると、前記注文情報が前記コンピュータによって受け付けられた旨を、前記即時型のコンテンツデータとして前記情報提供装置に送信する、
ことを特徴とするプログラム。
【発明の詳細な説明】
【技術分野】
【０００１】
本発明は、車内のユーザが商品等の注文を簡単にできるようにするために好適な情報提供システム、情報提供装置、情報提供サーバ、情報提供方法、ならびに、プログラムに関する。
【背景技術】
【０００２】
カーナビゲーションシステムのように、動画、静止画、音声、文字情報など様々な種類のコンテンツを配信するサービスが普及している。コンテンツを提供するデータ配信側は、例えば特許文献１のようなカーナビゲーションシステム等、データ受信側（カーナビゲーション車載装置側）であるユーザに該コンテンツを効率的かつ効果的に提供できるような仕組みを模索している。
【０００３】
また、通信手法の１つであるＤＳＲＣ（Dedicated Short Range Communication）を利用して、路側に設置されている路側無線装置を経由し、配信サーバから自動車に搭載している車載器に、例えば周辺の店舗等の情報や広告などの地域情報を配信するサービスが考えられている。車載器はこれらの地域情報を受信するとローカル（車載器内の記憶部）に保存しておき、もし路側無線装置と通信できない地域に自動車が移動したとしても、保存している地域情報を読み出して再生できるようにすることが検討されている。
一方で、近年、インターネット等を用いたいわゆるオンラインショッピングのサービスが広く普及してきている。
【先行技術文献】
【特許文献】
【０００４】
【特許文献１】特開２００５−３４５３２５号公報
【発明の概要】
【発明が解決しようとする課題】
【０００５】
ところで、カーナビゲーションシステムは、主に運転中のドライバーや同乗者に向けて情報を発信するシステムであるため、ユーザが複雑な入力操作を必要とせず簡易な操作のみで入力操作できるようにすることが望ましい。特に、車内のユーザから商品等の注文を受け付けるシステムを構築する上では、他の客の目を気にせずに、あるいは他の客に迷惑をかけずに、自分のペースで注文できるようにすることが望ましい。しかしながら、従来のオンラインショッピング等の技術を用いるだけでは、車内にいるユーザにとっての利便性や安全性を十分に確保することは難しく、結果として商品等を簡単に注文することは難しかった。
【０００６】
本発明は、このような課題を解決するものであり、車内のユーザが商品等の注文を簡単にできるようにするために好適な情報提供システム、情報提供装置、情報提供サーバ、情報提供方法、ならびに、プログラムを提供することを目的とする。
【課題を解決するための手段】
【０００７】
上記目的を達成するため、本発明の第１の観点に係る情報提供システムは、ユーザに情報を提供する情報提供装置と、前記情報提供装置に複数のディジタルデータを配信する情報提供サーバと、を有する情報提供システムであって、
前記ディジタルデータには、前記情報提供装置が前記情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記情報提供サーバは、
前記複数のディジタルデータを予め記憶する記憶手段と、
前記記憶されている複数のディジタルデータを前記情報提供装置に送信するコンテンツ送信手段と、
を備え、
前記情報提供装置は、
前記情報提供サーバから前記複数のディジタルデータを受信するコンテンツ受信手段と、
前記コンテンツ受信手段が前記蓄積型のディジタルデータを受信すると、前記受信された蓄積型のディジタルデータを記憶する記憶手段と、
前記コンテンツ受信手段が前記即時型のディジタルデータを受信すると、前記受信された即時型のディジタルデータを直ちに再生し、前記ユーザから前記情報提供装置の前記記憶手段に記憶された蓄積型のディジタルデータを再生する指示があると、前記情報提供装置の前記記憶手段に記憶された蓄積型のディジタルデータを再生する再生手段と、
前記蓄積型のディジタルデータが再生されることにより表示される画面内に含まれる複数のボタンのうちのいずれかを選択する指示入力を前記ユーザから受け付ける入力受付手段と、
前記受け付けられた指示入力が示すボタンに予め対応付けられるディジタルデータの識別符号と、所定のフラグ情報とを、注文情報として、前記情報提供サーバに送信する注文送信手段と、
を備え、
前記情報提供サーバは、更に、
前記注文情報を前記情報提供装置から受信する注文受信手段を備え、
前記コンテンツ送信手段は、前記注文受信手段によって前記注文情報が受信されると、前記注文情報が前記情報提供サーバによって受け付けられた旨を、前記即時型のコンテンツデータとして、前記情報提供装置に送信する、
ことを特徴とする。
【０００９】
本発明の第２の観点に係る情報提供装置は、複数のディジタルデータを再生することによりユーザに情報を提供する情報提供装置であって、
前記ディジタルデータには、前記情報提供装置が情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記情報提供サーバから前記複数のディジタルデータを受信するコンテンツ受信手段と、
前記コンテンツ受信手段が前記蓄積型のディジタルデータを受信すると、前記受信された蓄積型のディジタルデータを記憶する記憶手段と、
前記コンテンツ受信手段が前記即時型のディジタルデータを受信すると、前記受信された即時型のディジタルデータを直ちに再生し、前記ユーザから前記記憶手段に記憶された蓄積型のディジタルデータを再生する指示があると、前記記憶手段に記憶された蓄積型のディジタルデータを再生する再生手段と、
前記蓄積型のディジタルデータが再生されることにより表示される画面内に含まれる複数のボタンのうちのいずれかを選択する指示入力を前記ユーザから受け付ける入力受付手段と、
前記受け付けられた指示入力が示すボタンに予め対応付けられるディジタルデータの識別符号と、所定のフラグ情報とを、注文情報として、前記情報提供サーバに送信する注文送信手段と、
を備えることを特徴とする。
【００１０】
本発明の第３の観点に係る情報提供サーバは、ユーザに情報を提供する情報提供装置に複数のディジタルデータを配信する情報提供サーバであって、
前記ディジタルデータには、前記情報提供装置が前記情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記複数のディジタルデータを予め記憶する記憶手段と、
前記記憶されている複数のディジタルデータを前記情報提供装置に送信するコンテンツ送信手段と、
を備え、
前記コンテンツ送信手段は、
複数のボタンのうちのいずれかを選択する指示入力を前記ユーザから受け付ける画面を表すディジタルデータを、前記蓄積型のディジタルデータとして前記情報提供装置に送信し、
前記ユーザから受け付けられた指示入力が示すボタンに予め対応付けられるディジタルデータの識別符号と、所定のフラグ情報と、を含む注文情報を前記情報提供装置から受信すると、前記注文情報が前記情報提供サーバによって受け付けられた旨を、前記即時型のコンテンツデータとして前記情報提供装置に送信する、
ことを特徴とする。
また、前記情報提供サーバは、
前記コンテンツ送信手段により送信された前記複数のディジタルデータのうち前記ユーザによって選択されたいずれかのディジタルデータの識別符号と、所定のフラグ情報とを対応付けて表される注文情報を、前記情報提供装置から受信する注文受信手段と、
前記受信された注文情報に基づいて、前記ユーザによる注文内容を特定し、前記特定した注文内容を所定の注文受付端末に通知する注文通知手段と、
を更に備えてもよい。
【００１１】
本発明の第４の観点に係る情報提供方法は、複数のディジタルデータを再生することによりユーザに情報を提供する情報提供装置にて実行される情報提供方法であって、
前記ディジタルデータには、前記情報提供装置が情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記情報提供サーバから前記複数のディジタルデータを受信するコンテンツ受信ステップと、
前記コンテンツ受信ステップにおいて前記蓄積型のディジタルデータが受信されると、前記受信された蓄積型のディジタルデータを記憶部に記憶する記憶ステップと、
前記コンテンツ受信ステップにおいて前記即時型のディジタルデータが受信されると、前記受信された即時型のディジタルデータを直ちに再生し、前記ユーザから前記記憶部に記憶された蓄積型のディジタルデータを再生する指示があると、前記記憶部に記憶された蓄積型のディジタルデータを再生する再生ステップと、
前記蓄積型のディジタルデータが再生されることにより表示される画面内に含まれる複数のボタンのうちのいずれかを選択する指示入力を前記ユーザから受け付ける入力受付ステップと、
前記受け付けられた指示入力が示すボタンに予め対応付けられるディジタルデータの識別符号と、所定のフラグ情報とを、注文情報として、前記情報提供サーバに通知する注文送信ステップと、
を備えることを特徴とする。
【００１２】
本発明の第５の観点に係る情報提供方法は、記憶部を有し、ユーザに情報を提供する情報提供装置に複数のディジタルデータを配信する情報提供サーバにて実行される情報提供方法であって、
前記ディジタルデータには、前記情報提供装置が前記情報提供サーバの通信エリア外で再生可能な蓄積型のディジタルデータと、前記情報提供装置が前記情報提供サーバからの受信後直ちに再生する即時型のディジタルデータと、があり、
前記ディジタルデータには、注文対象の商品又は役務の種類と、前記注文対象の商品又は役務の数と、の組み合わせを示す情報、及び、前記ディジタルデータの識別情報が含まれ、
前記記憶部には、前記複数のディジタルデータが予め記憶され、
前記記憶されている複数のディジタルデータを前記情報提供装置に送信するコンテンツ送信ステップと、
を備え、
前記コンテンツ送信ステップでは、
複数のボタンのうちのいずれかを選択する指示入力を前記ユーザから受け付ける画面を表すディジタルデータを、前記蓄積型のディジタルデータとして前記情報提供装置に送信し、
前記ユーザから受け付けられた指示入力が示すボタンに予め対応付けられるディジタルデータの識別符号と、所定のフラグ情報と、を含む注文情報を前記情報提供装置から受信すると、前記注文情報が前記情報提供サーバによって受け付けられた旨を、前記即時型のコンテンツデータとして前記情報提供装置に送信する、
ことを特徴とする。
【００１３】
本発明の第６の観点に係るプログラムは、情報提供サーバの通信エリア外で再生可能な蓄積型のディジタルデータと、前記情報提供サーバからの受信後直ちに再生する即時型のディジタルデータと、を受信するコンピュータを、
注文対象の商品又は役務の種類と、前記注文対象の商品又は役務の数と、の組み合わせを示す情報、及び、ディジタルデータの識別情報が含まれる複数の前記ディジタルデータを送信する前記情報提供サーバから、前記複数のディジタルデータを受信するコンテンツ受信手段、
前記コンテンツ受信手段が前記蓄積型のディジタルデータを受信すると、前記受信された蓄積型のディジタルデータを記憶部に記憶する記憶手段、
前記コンテンツ受信手段が前記即時型のディジタルデータを受信すると、前記受信された即時型のディジタルデータを直ちに再生し、前記ユーザから前記記憶部に記憶された蓄積型のディジタルデータを再生する指示があると、前記記憶部に記憶された蓄積型のディジタルデータを再生する再生手段、
前記蓄積型のディジタルデータが再生されることにより表示される画面内に含まれる複数のボタンのうちのいずれかを選択する指示入力を前記ユーザから受け付ける入力受付手段、
前記受け付けられた指示入力が示すボタンに予め対応付けられるディジタルデータの識別符号と、所定のフラグ情報とを、注文情報として、前記情報提供サーバに送信する注文送信手段、
として機能させることを特徴とする。
【００１４】
本発明の第７の観点に係るプログラムは、通信エリア外で再生可能な蓄積型のディジタルデータと、受信後直ちに再生される即時型のディジタルデータと、を送信するコンピュータを、
注文対象の商品又は役務の種類と、前記注文対象の商品又は役務の数と、の組み合わせを示す情報、及び、ディジタルデータの識別情報が含まれる複数の前記ディジタルデータを予め記憶部に記憶する記憶手段、
前記記憶されている複数のディジタルデータを、ユーザが操作する情報提供装置に送信するコンテンツ送信手段、
として機能させ、
前記コンテンツ送信手段は、
複数のボタンのうちのいずれかを選択する指示入力を前記ユーザから受け付ける画面を表すディジタルデータを、前記蓄積型のディジタルデータとして前記情報提供装置に送信し、
前記ユーザから受け付けられた指示入力が示すボタンに予め対応付けられるディジタルデータの識別符号と、所定のフラグ情報と、を含む注文情報を前記情報提供装置から受信すると、前記注文情報が前記コンピュータによって受け付けられた旨を、前記即時型のコンテンツデータとして前記情報提供装置に送信する、
ことを特徴とする。
【発明の効果】
【００１５】
本発明によれば、車内のユーザが商品等の注文を簡単にできるようにすることができる。
【図面の簡単な説明】
【００１６】
【図１】情報提供システムの全体構成を説明するための図である。
【図２】配信サーバの構成を説明するための図である。
【図３】路側無線装置の構成を説明するための図である。
【図４】車載器の構成を説明するための図である。
【図５】配信されるディジタルデータの概要構成を示す図である。
【図６】事業者情報の構成を示す図である。
【図７】コンテンツ情報の構成を示す図である。
【図８】再生条件情報の構成を示す図である。
【図９】有効期限情報の構成を示す図である。
【図１０】提供時間情報の構成を示す図である。
【図１１】対象地点情報の構成を示す図である。
【図１２】情報提供地点情報の構成を示す図である。
【図１３】遷移情報の構成を示す図である。
【図１４】詳細情報の構成を示す図である。
【図１５】駐車場情報の構成を示す図である。
【図１６】運転支援情報の構成を示す図である。
【図１７】嗜好情報の構成を示す図である。
【図１８】構成ＩＤ情報の構成を示す図である。
【図１９】（ａ）と（ｂ）は、ポップアップ表示される画面の構成例である。
【図２０】（ａ）〜（ｃ）は、画面遷移の例を示す図である。
【図２１】（ａ）と（ｂ）は、画面遷移の例を示す図である。
【図２２】（ａ）と（ｂ）は、画面遷移の例を示す図である。
【図２３】嗜好データを設定する画面の構成例である。
【図２４】ディジタルコンテンツの構成例を示す図である。
【図２５】ディジタルデータの再生画面の例である。
【図２６】ディジタルデータの再生画面の他の例である。
【図２７】ディジタルデータの再生画面の他の例である。
【図２８】ディジタルデータの再生画面の他の例である。
【図２９】ディジタルデータの再生画面の他の例である。
【図３０】ディジタルデータの再生画面の他の例である。
【図３１】ディジタルデータの再生画面の他の例である。
【図３２】ディジタルデータの再生画面の他の例である。
【図３３】ディジタルデータの再生画面の他の例である。
【図３４】ディジタルデータの再生画面の他の例である。
【図３５】アップリンク情報の構成例を示す図である。
【図３６】注文受付処理において、注文を受け付けてから確定するまでの処理を説明するためのフローチャートである。
【図３７】注文受付処理のフローチャートの続きである。
【図３８】注文受付処理において、買い物かごを空にする処理を説明するためのフローチャートである。
【図３９】実施形態２において、詳細情報出力処理を説明するためのフローチャートである。
【図４０】遷移先テーブルの構成例を示す図である。
【図４１】ディジタルデータの再生画面の他の例である。
【発明を実施するための形態】
【００１７】
以下、本発明の実施形態に係る情報提供システムを、ＩＴＳ（Intelligent Transport Systems）を例に説明する。
【００１８】
（実施形態１）
図１に示すように、ＩＴＳは、道路、駐車場などの車両が通行する場所の近傍に配置された路側無線装置１００と、交通情報や広告などの種々の内容のディジタルデータ１５０を生成して路側無線装置１００に供給する配信サーバ３００と、車両に搭載され、路側無線装置１００との間で通信してユーザ（車両の乗車者）に交通情報や広告等を提供する車載器２００と、を備える。車載器２００と路側無線装置１００との間の通信方法は、例えば、プッシュ配信において一般的に用いられるＤＳＲＣ（Dedicated Short Range Communication）である。
【００１９】
図２に示すように、配信サーバ３００は、入力部３０１、出力部３０２、第１の通信制御部３０３、第２の通信制御部３０４、記憶装置３０５、制御部３０６、ＲＯＭ（Read Only Memory）３０７、ＲＡＭ（Random Access Memory）３０８、システムバス３０９を備える。
【００２０】
入力部３０１は、キーボードやマウス等の入力インタフェースを備え、サーバ管理者からの指示入力や種々のデータの入力等を受け付けて制御部３０６に入力する。
【００２１】
出力部３０２は、表示装置などから構成され、画像データやメッセージデータなどを表示する。
【００２２】
第１の通信制御部３０３は、電話回線、インターネット等の一般通信網ＮＷ１を介して外部装置と交信し、種々の情報を送受信する。
【００２３】
第２の通信制御部３０４は、ＩＴＳ通信網ＮＷ２を介して各路側無線装置１００に接続され、路側無線装置１００に交通情報や広告などのディジタルデータ１５０を送信する。また、第２の通信制御部３０４は、各路側無線装置１００が車載器２００との交信などにより得た情報を、ＩＴＳ通信網ＮＷ２を介して受信する。例えば、第２の通信制御部３０４が車載器２００から受信した情報は、交通情報等を生成するために用いられる。
【００２４】
記憶装置３０５は、ハードディスク装置等を備え、受信した交通情報や広告などを示す画像データ、音声データ、テキストデータ等を格納する。また、記憶装置３０５は、各路側無線装置１００の位置やアドレスの他、各路側無線装置１００の近傍の地理情報を記憶する。
【００２５】
制御部３０６は、ＣＰＵ（Central Processing Unit）等から構成され、配信サーバ３００全体の動作を制御する。また、制御部３０６は、記憶装置３０５に格納されている各種情報に基づいて、各路側無線装置１００に配信するディジタルデータ１５０を作成し、第２通信制御部３０４を制御してＩＴＳ通信網ＮＷ２を介して各路側無線装置１００に配信する。尚、制御部３０６が配信するディジタルデータ１５０の構成の詳細については後述する。
【００２６】
ＲＯＭ３０７は、配信サーバ３００全体の動作制御に必要なオペレーティングシステム（ＯＳ）やプログラム等を記憶する。
【００２７】
ＲＡＭ３０８は、制御部３０６のワークエリアとして機能する。
【００２８】
システムバス３０９は、上記各部の間で命令やデータを転送するための伝送経路である。
【００２９】
次に、路側無線装置１００の構成について説明する。路側無線装置１００は、典型的には道路上や駐車場等に設置されるＤＳＲＣの電波ビーコン、光ビーコン等の送受信機を備える。路側無線装置１００は、ＤＳＲＣ方式を用いて交通情報や広告などのディジタルデータ１５０を周囲に発信する。路側無線装置１００は、ユーザが情報を引き出す（プル）のではなく、ユーザが操作しなくてもコンテンツ提供側から自動的に情報をクライアントに送る、いわゆるプッシュ配信によって情報を配信する。路側無線装置１００は、配信対象のディジタルデータ１５０を配信サーバ３００から受信して記憶し、無線送信する。路側無線装置１００の近くを通過する車両の車載器２００は、路側無線装置１００からこのディジタルデータ１５０を受信する。
【００３０】
配信されるディジタルデータ１５０には、例えば交通情報や広告などのほか、ディジタルデータ１５０を再生するための条件（例えばディジタルデータの再生を開始する地理的な位置）を指示するためのデータなどを含めることができる。詳細は後述する。
【００３１】
図３に示すように、路側無線装置１００は、無線通信部１０１、通信制御部１０２、記憶装置１０３、制御部１０４、ＲＯＭ１０５、ＲＡＭ１０６、システムバス１０７を備える。
【００３２】
無線通信部１０１は、電波信号、光信号等の無線信号により路側無線装置１００の近傍を通過する車両に設置された車載器２００との間で情報を交信する。例えば、無線通信部１０１は、配信サーバ３００から提供された交通情報や広告などのディジタルデータ１５０を車載器２００に送信する。また、無線通信部１０１は、車載器２００から送信されてくる車両ＩＤ等の情報を受信する。
【００３３】
通信制御部１０２は、ＩＴＳ通信網ＮＷ２を介して配信サーバ３００に接続され、配信サーバ３００から送信される交通情報や広告などのディジタルデータ１５０を受信して記憶装置１０３に格納する。また、車載器２００から取得した情報を配信サーバ３００に送信する。
【００３４】
記憶装置１０３は、配信サーバ３００から受信した交通情報や広告などのディジタルデータ１５０を格納する。
【００３５】
制御部１０４は、ＣＰＵ等から構成され、路側無線装置１００全体の動作を制御する。例えば、制御部１０４は、記憶装置１０３に格納されているディジタルデータ１５０を、無線通信部１０１を制御して車載器２００にプッシュ配信する。制御部１０４は、無線通信部１０１により車載器２００から取得した情報を記憶装置１０３に格納する。また、制御部１０４は、トラフィックカウンター（図示せず）などを用いて路側無線装置１００周辺の交通情報を生成して記憶装置１０３に格納し、ＩＴＳ通信網ＮＷ２を介して配信サーバ３００に送信することもできる。
【００３６】
ＲＯＭ１０５は、路側無線装置１００全体の動作制御に必要なオペレーティングシステム（ＯＳ）、プログラム、各種のデータを記憶する。
【００３７】
ＲＡＭ１０６は、制御部１０４のワークエリアとして機能する。
【００３８】
システムバス１０７は、上記各部の間で命令やデータを転送するための伝送経路である。
【００３９】
次に、車載器２００の構成について説明する。車載器２００は典型的には自動車の中に設置される。本実施形態では、車載器２００は、一般的なカーナビゲーション装置と一体に構成され、カーナビゲーションの機能と、路側無線装置１００からプッシュ配信されたディジタルデータ１５０を再生する機能とを備える。ただし、カーナビゲーションの機能を備えない実施形態を採用することもできる。
【００４０】
車載器２００は、自己の位置を判別し、また、路側無線装置１００からプッシュ配信されるディジタルデータ１５０を受信する。例えば、車載器２００は、測定された自己の位置と、受信したディジタルデータ１５０毎に指定される地理的な位置（再生開始位置）とが一致すると、ディジタルデータ１５０を再生することができるが、詳細は後述する。なお、ここで言う一致とは、位置の誤差が所定範囲内に収まっている状態も含む。
【００４１】
図４に示すように、車載器２００は、通信部２０１、音声処理部２０２、出力部２０３、操作部２０４、Ｉ／Ｏ（Input/Output）装置２０５、記憶装置２０６、制御部２０７、ＲＯＭ２０８、ＲＡＭ２０９、システムバス２１０を備える。
【００４２】
通信部２０１は、ＧＰＳ（Global Positioning System）モジュール２０１ａ、ＤＳＲＣ（Dedicated Short Range Communication）モジュール２０１ｂを含む。
【００４３】
ＧＰＳモジュール２０１ａは、複数のＧＰＳ衛星からのＧＰＳ電波を受信し、制御部２０７に供給する。制御部２０７は、ＧＰＳモジュール２０１ａを制御して、車載器２００の現在位置を取得できる。位置は、例えば緯度と経度を用いて表現される。
【００４４】
ＤＳＲＣモジュール２０１ｂは、ＤＳＲＣ方式により路側無線装置１００と通信する。路側無線装置１００を介して配信サーバ３００から車載器２００にデータを送信することを“ダウンリンク”と呼び、路側無線装置１００を介して車載器２００から配信サーバ３００にデータを送信することを“アップリンク”と呼ぶ。
【００４５】
音声処理部２０２は、制御部２０７から入力されたディジタルオーディオ信号をＤ／Ａコンバータ（図示せず）でアナログオーディオ信号に変換して、スピーカ２２２に出力する。また、音声処理部２０２は、マイクロフォン２２３から入力された音声をＡ／Ｄコンバータ（図示せず）でディジタルオーディオ信号に変換して、制御部２０７に入力する。制御部２０７に入力されたディジタルオーディオ信号は公知の音声認識技術により音声認識処理が行われる。これにより、ユーザはナビゲーション等の音声を聞いたり、車載器２００に対し音声を入力することにより所定の指示を行なったりすることができる。
【００４６】
出力部２０３は、ＬＣＤ（Liquid Crystal Display）等のモニターを備え、通信部２０１により取得されたディジタルデータ１５０の再生画像、ナビゲーション画像、テレビ画像、記憶装置２０６等に予め記憶されたマップ画像などを表示する。
【００４７】
操作部２０４は、タッチパネル式入力装置などから構成され、ユーザによる指示入力に基づいて指示入力信号を生成して、制御部２０７に入力する。
【００４８】
Ｉ／Ｏ装置２０５は、ＤＶＤ−ＲＯＭ（Digital Versatile Disk-Read Only Memory）ドライブを含み、所定の地図情報（マップデータ）などを納めたＤＶＤ−ＲＯＭやＣＤ−ＲＯＭからデータを読み出して制御部２０７に入力する。また、Ｉ／Ｏ装置２０５は、速度センサ、走行距離センサ、方向センサ、ブレーキセンサ等のセンサ群２２５の検出信号を取得し、制御部２０７に供給する。
【００４９】
記憶装置２０６は、ハードディスクドライブ（ＨＤＤ）を備え、所定の地図情報、各種設定情報、受信したディジタルデータ１５０などを記憶する。なお、記憶装置２０６は、メモリカードなどの他のメモリを備えていてもよい。制御部２０７は、地図情報を記憶したＤＶＤ−ＲＯＭ等の記憶媒体から随時この地図情報を読み出してもよいし、記録媒体から予めこの地図情報を読み出して記憶装置２０６に書き込んでおく（インストールしておく）ようにしてもよい。
【００５０】
制御部２０７は、ＣＰＵ等から構成され、車載器２００全体の動作を制御する。例えば、制御部２０７は、ＧＰＳモジュール２０１ａを介して受信したＧＰＳ信号に基づいて、車載器２００（自車）の現在位置を判別する。また、制御部２０７は、センサ群２２５に含まれている方向センサの出力をＩ／Ｏ装置２０５を介して取り込み、現在の自車の進行方向を判別する。また、制御部２０７は、距離センサの出力から、自車の走行距離を求める。また、制御部２０７は、ＤＳＲＣモジュール２０１ｂを介して路側無線装置１００から交通情報や広告などのディジタルデータ１５０を受信し、受信したディジタルデータ１５０に含まれている再生開始条件を指定するデータに基づいて再生する。なお、制御部２０７は、コプロセッサ等を備えても良い。
【００５１】
ＲＯＭ２０８は、車載器２００全体の動作制御に必要なオペレーティングシステム（ＯＳ）、プログラム、各種のデータが記録される。
【００５２】
ＲＡＭ２０９は、データやプログラムを一時的に記憶するためのもので、通信部２０１が受信したディジタルデータ１５０、ＤＶＤ−ＲＯＭから読み出したデータ等が保持される。また、制御部２０７は、ＲＡＭ２０９をワークメモリとして使用する。
【００５３】
システムバス２１０は、上記各部を相互に接続し、命令やデータを転送するための伝送経路である。
【００５４】
次に、路側無線装置１００を介して配信サーバ３００から車載器２００に配信されるディジタルデータ１５０の構成の詳細について説明する。
【００５５】
図５は、配信されるディジタルデータ１５０の全体の概要を表す図である。ディジタルデータ１５０は、図６に示す事業者情報５０１、図７に示すコンテンツ情報５０２、図８に示す再生条件情報５０３、図９に示す有効期限情報５０４、図１０に示す提供時間情報５０５、図１１に示す対象地点情報５０６、図１２に示す情報提供地点情報５０７、図１３に示す遷移情報５０８、図１４に示す詳細情報５０９、図１５に示す駐車場情報５１０、図１６に示す運転支援情報５１１、図１７に示す嗜好情報５１２、図１８に示す構成ＩＤ情報５００、及び、拡張用予備領域５１３、の各項目を含む。各項目には固有のＩＤが予め割り当てられている。１つのディジタルデータ１５０は、これらの情報の全部又は一部を格納する１つの“情報グループ”とも言える。
【００５６】
１つのディジタルデータ１５０には上記各項目の全部又は一部が含まれる。つまり、配信されるディジタルデータ１５０は必ずしも上記各項目のすべてを含まなくてもよく、ディジタルデータ１５０の使用目的に応じて上記各項目のうちいずれかを含むように構成すればよい。例えば、ディジタルデータ１５０の内容が店舗の広告であって、その店舗が駐車場を有しているかあるいは付近に利用可能な駐車場があるのであれば、駐車場情報５１０を含んでいることが望ましい。しかし、店舗とは無関係の駐車場内速度案内などであれば、駐車場情報５１０を含む必要はない。ディジタルデータ１５０の提供側（作成者側）は、ディジタルデータ１５０の使用目的に応じて、どの項目にどのような情報を格納すべきかを考慮してディジタルデータ１５０を作成すればよい。
【００５７】
次に、上記項目のそれぞれに格納される情報内容について詳しく説明する。
【００５８】
まず、事業者情報５０１について説明する。図６は、事業者情報５０１に格納される情報の詳細を示す図である。
【００５９】
サービス事業者コード６０１は、当該ディジタルデータに係るサービス事業者を特定するための情報であり、必ず格納しなければならない情報である。典型的には、ＤＳＲＣの運用を管理する機関が、サービス事業者毎にユニークに割り当てている。ここで言うサービス事業者とは、広告主等から受託し制作したディジタルコンテンツを、契約したユーザにＤＳＲＣにより配信する一連のサービスを行う業者のことである。
【００６０】
サービス事業者コード６０１は、すべてのディジタルデータ１５０に格納される。
【００６１】
車載器２００側は、サービス事業者コード６０１を、いわゆるスパム対策のために用いることもできる。具体的には、不正なサービス事業者コード６０１が付与されたディジタルデータ１５０や、サービス事業者コード６０１が付与されていないディジタルデータ１５０、あるいは、ユーザが契約していないサービス事業者に対応するサービス事業者コード６０１が付与されているディジタルデータ１５０などを通信部２０１が受信した場合、制御部２０７は、受信したディジタルデータ１５０を破棄したり、記憶装置２０６内の所定の迷惑データ保存領域（図示せず）に保存したりしてもよい。
【００６２】
また、車載器２００側は、受信したディジタルデータ１５０に所定のサービス事業者コード６０１が付与されているか否かによって、受信したディジタルデータ１５０に対する応答を送信する（あるいは送信しない）ようにしてもよい。具体的には、車載器２００の記憶装置２０６には、ユーザが予め契約を交わしたサービス事業者に割り当てられたサービス事業者コード６０１を示す情報が格納され、この格納された情報が示すサービス事業者コード６０１と同じサービス事業者コード６０１が付与されたディジタルデータ１５０を通信部２０１が受信すると、制御部２０７は、正常に受信したことを示す応答として、通信部２０１に所定のアップリンク情報を路側無線装置１００へ送信させてもよい。
【００６３】
サービス事業者表示用文字列６０２は、サービス事業者名をモニターに表示してユーザに通知するために用いられるテキストデータである。文字数は、モニターに表示する際、改行せず１行で表示できる程度（例えば全角２０文字程度）であることが望ましい。
【００６４】
サービス事業者発話用表音文字列６０３は、サービス事業者名を音声でスピーカに出力してユーザに通知するために用いられる音声データである。サービス事業者発話用表音文字列６０３は、公知のＴＴＳ（Text-to-Speech）システムを用いて音声合成するための所定のフォーマットで作成され、例えば母音、子音、発音記号、イントネーション、抑揚などを指定する情報を含む。
【００６５】
次に、コンテンツ情報５０２の詳細について、図７を用いて説明する。
【００６６】
情報提供企業コード７０１は、１つ以上のディジタルデータ１５０から構成されるディジタルコンテンツの提供元（スポンサー）を示すコードである。典型的には、情報提供企業コード７０１は、サービス事業者によって情報提供企業ごとに予め割り当てられる。例えば車載器２００の制御部２０７は、受信したディジタルデータ１５０に含まれる情報提供企業コード７０１を用いて、ユーザの所望のデータの検索、並び替え、削除等を行うことができる。情報提供企業コード７０１を割り当てる単位は「企業」に限られず、ディジタルコンテンツを提供する任意の団体、法人、個人を単位にしてもよい。
【００６７】
情報提供企業表示用文字列７０２は、ディジタルコンテンツの提供元をモニターに表示してユーザに通知するために用いられるテキストデータである。文字数は、モニターに表示する際、改行せず１行で表示できる程度であることが望ましい。
【００６８】
情報提供企業発話用表音文字列７０３は、ディジタルコンテンツの提供元を音声でスピーカに出力してユーザに通知するために用いられる音声データである。情報提供企業表音文字列７０３は、サービス事業者発話用表音文字列６０３と同様に、ＴＴＳシステムを用いて音声合成するための所定のフォーマットで作成される。
【００６９】
情報コード７０４は、サービス事業者によって、配信するディジタルデータ１５０毎にユニークに割り当てられる識別符号である。識別符号は、例えば数字、文字、記号などを用いて表される。情報内容について、同一視できる範囲で更新した場合には、更新前と更新後のディジタルデータ１５０には、同じ識別符号が割り当てられることが望ましい。この場合、例えば、拡張用予備領域５１３あるいは詳細情報５０９にディジタルデータ１５０のバージョン情報を格納することとし、更新前後で同じ情報コード７０４を付与し、更新前後で異なるバージョン番号を付与するようにしてもよい。
【００７０】
車載器２００の制御部２０７は、受信したディジタルデータ１５０の情報コード７０４（識別符号）に基づいて、当該ディジタルデータ１５０を保存するメモリ領域を決定する。具体的には、制御部２０７は、受信したディジタルデータ１５０からサービス事業者コード６０１と、情報コード７０４（識別符号）とを読み出し、これらと一致するディジタルデータ１５０が記憶装置２０６に保存されている否かをチェックする。その結果、該当するディジタルデータ１５０が保存されている場合（即ち、同じサービス事業者によって同じ識別符号が割り当てられたディジタルデータ１５０が存在する場合）、制御部２０７は、同じメモリ領域に新たに受信したディジタルデータ１５０を格納する（つまり、データを上書きする）。一方、該当するディジタルデータ１５０が保存されていない場合、制御部２０７は、記憶装置２０６の別のメモリ領域に新たに受信したディジタルデータ１５０を格納する。
【００７１】
情報表示テキスト７０５は、ディジタルコンテンツ名をモニターに表示してユーザに通知するために用いられるテキストデータである。テキストの文字数は、モニターに表示する際、改行せず１行で表示できる程度であることが望ましい。典型的には、情報表示テキスト７０５はディジタルデータ１５０の表題（タイトル）である。ユーザは、モニターに表示される情報表示テキスト７０５を見て、所望のディジタルデータ１５０を車載器２００に検索、並び替え、保存、削除等を指示することができる。
【００７２】
情報表音文字列７０６は、ディジタルコンテンツ名を音声でスピーカに出力してユーザに通知するために用いられる音声データである。情報表音文字列７０６は、情報提供企業表音文字列７０３と同様に、ＴＴＳシステムを用いて音声合成するための所定のフォーマットで作成される。
【００７３】
嗜好データカテゴリ７０７は、ディジタルデータ１５０を所定の分類方法でカテゴリ分けするために用いられる情報である。本実施形態では、１つのディジタルデータ１５０を複数のカテゴリに分類することができる。例えば、ディジタルコンテンツが“持ち帰り可能な和食レストラン”の広告である場合、そのディジタルコンテンツを構成するディジタルデータ１５０を、第１のカテゴリ“レストラン”、及び、第２のカテゴリ“テイクアウト”、といったように複数のカテゴリに分類してもよい。また、上位の主カテゴリ“レストラン”、及び、下位の副カテゴリ“和食”、といったようにツリー構造をもつ分類の仕方でもよい。本実施形態では、嗜好データカテゴリ７０７は９６ビットのデータ領域から構成され、１つのカテゴリにつき１ビットが対応し、各ビットのＯＮ／ＯＦＦを設定することにより９６種類のカテゴリ分けを行うことができる。ただし、このカテゴリ数は例示に過ぎず、任意の種類に分けてもよいことは言うまでもない。
【００７４】
例えば車載器２００の制御部２０７は、受信したディジタルデータ１５０に含まれる嗜好データカテゴリ７０７を用いて、ユーザの所望のデータの検索、並び替え、削除等を行うことができる。例えば、制御部２０７は、記憶装置２０６に記憶されたディジタルデータ１５０の嗜好データカテゴリ７０７と、ユーザが予め設定した嗜好データ（ユーザの嗜好を示すデータ）とを比較して、ユーザの嗜好に適合しないカテゴリに分類されるディジタルデータ１５０を記憶装置２０６から削除することができる。
【００７５】
次に、再生条件情報５０３の詳細について、図８を用いて説明する。
【００７６】
即時再生／蓄積コード８０１は、受信したディジタルデータ１５０を、車載器２００が下記パターンＡ又はパターンＢのどちらの手法で扱うべきかを示す情報である。
【００７７】
（パターンＡ：蓄積）ディジタルデータ１５０を、ＤＳＲＣ通信エリア外でもユーザが利用可能なディジタルコンテンツとして、記憶装置２０６に記憶する。
【００７８】
（パターンＢ：即時再生）ディジタルデータ１５０を、受信後、直ちに再生する。
【００７９】
制御部２０７は、上記パターンＡを採用する場合、受信したディジタルデータ１５０を再生しないで記憶装置２０６に保存しておき、ユーザから再生を開始する指示があると再生する。ただし、上記パターンＢを採用する場合にも、再生後、ディジタルデータ１５０を記憶装置２０６に記憶するようにしてもよい。
【００８０】
再生条件コード８０２は、受信したディジタルデータ１５０の情報提供地点情報５０７で指定される情報提供エリア内において、車載器２００がカーナビゲーションシステムによる道案内等を行っている最中であるためディジタルデータ１５０を再生できない（あるいは再生するに相応しくない）場合の挙動を規定する情報である。例えば、「ディジタルデータ１５０を受信したとき、カーナビゲーションシステムによる道案内画面と音声の再生中であったり、交差点のすぐ近くを走行中であるためディジタルデータ１５０を再生するに相応しくないタイミングであると推定されたりした場合の挙動を示すフラグが格納される。再生条件コード８０２は、情報提供地点情報５０７で中心と半径が指定される情報提供エリア内でカーナビゲーションシステムによる道案内等を行っている等の理由でディジタルデータ１５０を再生できなかったとき、すなわちその道案内が終了した時点ではすでに情報提供エリアから出てしまっていたときに、そのディジタルデータ１５０の再生を行うか否かを指定する。
【００８１】
次に、有効期限情報５０４の詳細について、図９を用いて説明する。
【００８２】
ここで言う有効期限とは、車載器２００がディジタルデータ１５０を再生することが許可される期間を指す。例えば、制御部２０７は、有効期限の切れたディジタルデータ１５０が記憶装置２０６に格納されていても再生しないようにすることができる。ただし、制御部２０７は、設定された有効期限に関わらず、ディジタルデータ１５０を再生してもよい。
【００８３】
開始日時９０１は、ディジタルデータ１５０の有効期限の開始日時である。終了日時９０２は、ディジタルデータ１５０の有効期限の終了日時である。
【００８４】
例えば開始日時９０１と終了日時９０２は、年、月、日、時、分、秒、を単位として設定される。
【００８５】
開始日時９０１で指定される日時から終了日時９０２で指定される日時までが、ディジタルデータ１５０の有効期間である。つまり、ユーザは、ディジタルコンテンツを、この有効期間内においてのみ、閲覧可能である。制御部２０７は、現在日時が有効期間内であればディジタルデータ１５０を再生してもよいが、有効期間外であれば再生しない。なお、後述するように、制御部２０７は、現在ディジタルデータ１５０の有効期間内であって、且つ、予め決められた再生開始条件を満たす場合に、ディジタルデータ１５０を再生する。
【００８６】
ただし、ディジタルコンテンツの中には、一旦車載器２００が受信すると特に有効期限を定めずにユーザによる閲覧を可能とするものがあってもよい。この場合には、開始日時９０１と終了日時９０２のデータ領域にＮＵＬＬ値を予め設定したり、有効期限が定められていないことを示す所定値を予め設定したりすればよい。
【００８７】
制御部２０７は、記憶装置２０６に記憶されたディジタルデータ１５０の有効期限情報５０４をチェックする。そして、制御部２０７は、現在日時が有効期間を過ぎている場合、言い換えれば、現在日時が有効期間外であって終了日時より後である場合には、このディジタルデータ１５０を削除することが望ましい。ただし、制御部２０７は、現在日時が有効期間外であって開始日時より前である場合には、このディジタルデータ１５０を削除せずに記憶装置２０６に蓄積する。
【００８８】
次に、提供時間情報５０５の詳細について、図１０を用いて説明する。
【００８９】
営業時間１００１は、情報提供企業コード７０１で示される提供元が、予め営業時間を定めている店舗等である場合、その店舗等が営業しておりユーザにサービスを提供可能な時間帯を示す情報である。
【００９０】
本実施形態では、営業時間１００１は、各曜日について、１時間単位で管理される。例えば、曜日毎に、0:00〜0:59、1:00〜1:59、…等の時間帯にそれぞれ１ビットを割り当て、ビットのＯＮ／ＯＦＦで営業時間内か営業時間外かを表現する。各時間帯の決め方は任意であり、１５分毎、３０分毎などに時間帯を区切ってそれぞれビットを割り当てるようにしてもよい。
【００９１】
なお、営業時間１００１は、上述の有効期限情報５０４における開始日時９０１と終了日時９０２と同様に、営業開始時間と営業終了時間を、例えば時、分、秒を単位として記述する形式であってもよい。
【００９２】
制御部２０７は、ディジタルデータ１５０ごとに予め定義される再生開始条件を満たすと判別した場合であって、現在日時が営業時間１００１で指定される日時に含まれる場合に、例えば後述する情報提供地点情報５０７に格納されるポップアップ用画像データ１２０５を再生してポップアップ表示させ、そうでない場合に再生しない（ポップアップ表示しない）。なお、ユーザから再生する旨の指示が合った場合であって、現在日時が営業時間１００１で指定される日時に含まれる場合に、例えば後述する対象地点情報５０６に格納されるメイン画像データ１１０４を再生して表示させ、そうでない場合に再生しない（表示しない）ようにすることもできる。メイン画像データ１１０４については、現在日時が営業時間１００１で指定される日時に含まれない場合でも再生してもよい。
【００９３】
情報提供時間１００２は、ディジタルデータ１５０を再生してもよい時間帯を示す情報である。情報提供時間１００２は、ディジタルコンテンツが、例えば提供元が午前中にのみ提供したいと希望する情報や、ランチタイムにのみ提供したいと希望する情報を含む場合などに設定される。
【００９４】
本実施形態では、情報提供時間１００２は、営業時間１００１と同様に、各曜日について、１時間単位で管理され、各時間帯にそれぞれ１ビットを割り当ててビットのＯＮ／ＯＦＦで提供時間内か提供時間外かを表現する。
【００９５】
例えば、広告主は、第１の時間帯（ランチタイムなど）を情報提供時間１００２に設定した第１のディジタルデータと、第２の時間帯（ディナータイムなど）を情報提供時間１００２に設定した第２のディジタルデータと、から構成されるディジタルコンテンツをサービス事業者に配信してもらう。このディジタルコンテンツを受信した車載器２００の制御部２０７は、現在時刻が第１の時間帯に含まれれば第１のディジタルデータの情報提供地点情報５０７に含まれるデータを再生し、現在時刻が第２の時間帯に含まれれば第２のディジタルデータの情報提供地点情報５０７に含まれるデータを再生する。このようにすれば、車載器２００は、現在時刻に相応しい情報がどれかを逐次推測してユーザに提供することができる。
【００９６】
次に、対象地点情報５０６の詳細について、図１１を用いて説明する。
【００９７】
対象地点とは、典型的には、ユーザに商品・役務を提供する者であって事業者情報５０１に規定されるサービス事業者以外の者（以下「ショップ」と呼ぶ）が、ユーザに商品・役務を提供する所定の場所のことである。ショップが店舗を構えている場合、店舗の場所を指す。ただし、対象地点として任意の地点を設定することができる。
【００９８】
対象地点情報５０６には、文字データ、画像データ、音声データが含まれる。文字データには、対象地点表示テキスト１１０２と表示用文字データ１１０３がある。画像データには、静止画像データとしてメイン画像データ１１０４とアイコン画像データ１１１１が、動画像としてビデオデータ１１０８がある。音声データには、ＴＴＳ言語データ１１０５と圧縮音声データ１１０６がある。
【００９９】
対象地点情報５０６に含めることができる静止画像には、ユーザによる再生開始の指示があった場合に再生されるメイン画像と、ユーザによる再生開始の指示に関わらず地図などと共にナビゲーション画面に簡易表示されるアイコン画像とがある。
【０１００】
対象地点座標１１０１は、ショップの場所を緯度・経度で表した情報である。対象地点座標１１０１には、緯度・経度を日本測地系と世界測地系のどちらで表現するかを指定する測地系識別フラグも含まれる。車載器２００の制御部２０７は、対象地点座標１１０１に緯度・経度が設定されたディジタルデータ１５０を再生するとき、対象地点座標１１０１が示す位置をカーナビゲーションによる目的地や経由地に設定するためのボタン等を出力部２０３にモニターへ表示させ、この位置をユーザからの指示入力に応じて目的地や経由地に設定することができる。
【０１０１】
例えば、対象地点座標１１０１で指定される地図上の位置には、上述のアイコン画像が表示される。
【０１０２】
対象地点表示テキスト１１０２は、ショップ名をモニターに表示してユーザに通知するために用いられるテキストデータである。テキストの文字数は、モニターに表示する際、改行せず１行で表示できる程度であることが望ましい。
【０１０３】
表示用文字データ１１０３は、ショップについての補足説明等をモニターに表示してユーザに通知するために用いられるテキストデータである。テキストの文字数は、最大でも全角１０００文字程度とする。制御部２０７は、ディジタルデータ１５０の一覧をモニターに表示させる際、先頭から１２０文字程度を１ページ目として表示させ、順次２ページ目、３ページ目、…というようにページ送りしたりスクロールしたりして表示させる。
【０１０４】
メイン画像データ１１０４は、所定の画像形式、所定の画像サイズ、所定の色数で作成されたメイン画像のデータ本体である。画像形式には、ＪＰＥＧ（Joint Photographic Experts Group）、ＧＩＦ（Graphics Interchange Format）、ＰＮＧ（Portable Network Graphics）、ビットマップ、などがある。操作部２０４がユーザから再生開始の指示を受け付けると、制御部２０７は、メイン画像データ１１０４を読み出して表示部２０３にモニターへ表示させる。メイン画像の表示位置は任意である。
【０１０５】
このメイン画像データ１１０４には、メイン画像のフォーマットを指定する情報である画像形式識別フラグが含まれる。
【０１０６】
ＴＴＳ言語データ１１０５は、ＴＴＳ形式で作成される発話用の音声のデータ本体である。
【０１０７】
このＴＴＳ言語データ１１０５には、言語識別フラグと音声形式識別フラグが含まれる。言語識別フラグは、日本語、英語などを区別するためのフラグである。音声形式識別フラグは、日本語表音文字列、外国語表音文字列などを区別するためのフラグである。
【０１０８】
圧縮音声データ１１０６は、所定の圧縮形式で作成された音声のデータ本体である。圧縮形式には、ＩＭＡ−ＡＤＰＣＭ（Interactive Multimedia Association - Adaptive Differential Pulse Code Modulation）、ＭＰ３（Moving Picture Experts Group Audio Layer-3）、ＡＡＣ（Advanced Audio Coding）、ＣＥＬＰ（Code Excited Linear Prediction）、ＰＣＭ（Pulse Code Modulation）などがある。
【０１０９】
この圧縮音声データ１１０６には、圧縮音声データ１１０６のフォーマットを指定する情報である圧縮音声形式識別フラグが含まれる。
【０１１０】
音声再生順１１０７は、対象地点情報５０６に音声データとしてＴＴＳ言語データ１１０５と圧縮音声データ１１０６の両方が含まれている場合、どの順番で再生するかを指定する情報である。例えば、音声再生順１１０７には、先に圧縮音声データ１１０６を再生してその後ＴＴＳ言語データ１１０５を再生することを示すフラグ値「０」、又は、先にＴＴＳ言語データ１１０５を再生してその後圧縮音声データ１１０６を再生することを示すフラグ値「１」が設定される。
【０１１１】
例えば、ＴＴＳ言語データ１１０５にセリフの音声を、圧縮音声データ１１０６にいわゆるサウンドロゴの音声を、それぞれ格納しておき、音声再生順１１０７にフラグ値「０」をセットしておくと、まずサウンドロゴが再生され、その後セリフが流れる。
【０１１２】
ビデオデータ１１０８は、所定の圧縮形式で作成された動画像のデータ本体である。圧縮形式には、ＭＰＥＧ４（Moving Picture Experts Group Layer-4）などがある。
【０１１３】
このビデオデータ１１０８には、ビデオデータ１１０８のフォーマットを指定する情報であるビデオ形式識別フラグが含まれる。
【０１１４】
表示用文字データ１１０３、メイン画像データ１１０４、ＴＴＳ言語データ１１０５、圧縮音声データ１１０６、ビデオデータ１１０８を総称して「メインコンテンツデータ」と呼ぶことがある。
【０１１５】
ＵＲＬ（Uniform Resource Locator）１１０９は、インターネット上のウェブページを指定する記述子を格納する。典型的には、ショップが開設しているウェブページを指定する記述子であるが、記述子による指定先（リンク先）は限定されない。ＵＲＬ１１０９が設定されているディジタルデータ１５０を再生する場合、制御部２０７は、ＵＲＬ１１０９に設定されたリンク先にページをジャンプするためのボタンを表示させ、ユーザの要求に応じてページをジャンプさせることができる。
【０１１６】
提携駐車場情報１１１０は、ショップが提携している駐車場に関する情報であり、後述する駐車場情報５１０の駐車場ＩＤ１５０１を用いて表される。例えば、ショップが提携している駐車場がある場合、その駐車場の固有の駐車場ＩＤ１５０１を提携駐車場情報１１１０に格納する。
【０１１７】
アイコン画像データ１１１１は、所定の画像形式、所定の画像サイズ、所定の色数で作成されたアイコン画像のデータ本体である。車載器２００の記憶装置２０６には、地図記号、道路標識などを表す画像を予め記憶しているが、ショップが独自のアイコン画像をナビゲーション画面等に表示させたい場合には、アイコン画像データ１１１１をディジタルデータ１５０に格納して配信することもできる。
【０１１８】
なお、対象地点情報５０６に、対象地点表示テキスト１１０２、メイン画像データ１１０４、ＴＴＳ言語データ１１０５（又は圧縮音声データ１１０６）、ビデオデータ１１０８のうち２つ以上が含まれている場合、制御部２０７は、それらのデータの再生を同じタイミングで開始することが望ましい。
【０１１９】
次に、情報提供地点情報５０７の詳細について、図１２を用いて説明する。
【０１２０】
情報提供地点情報５０７には、対象地点情報５０６と同様に、再生用の画像データと音声データが含まれる。対象地点情報５０６に格納される画像データと音声データは、主にユーザによる再生開始の指示があったときに再生される。これに対し、情報提供地点情報５０７に格納される画像データと音声データは、主に車載器２００が再生地点に到達したときに再生される。
【０１２１】
再生地点は、情報提供地点情報５０７に格納された音声データ、画像データの再生を開始する場所のことである。例えば、車載器２００が静止画像データを格納したディジタルデータ１５０を受信し、この車載器２００を搭載した車両が再生地点に到達すると、車載器２００のモニターには静止画像データがポップアップ表示される。言い換えれば、車両が再生地点に到達しないと静止画像データはポップアップ表示されない。ただし、制御部２０７は、車両が再生地点に到達したにも関わらず、何らかの理由により再生できなかった場合には、ユーザから再生する指示があったときに再生することができる。
【０１２２】
本実施形態では、再生地点として最大５箇所の場所を指定することができる。ただし、４箇所以下、あるいは、６箇所以上の場所を指定できる実施形態を採用することもできることは言うまでもない。
【０１２３】
再生地点は、緯度・経度で表される。再生地点は、１つの緯度・経度に対応する点を、いわばピンポイントで指定することができるだけでなく、ある程度の広さをもつ領域（以下「情報提供エリア」と呼ぶ）として指定することもできる。本実施形態では、緯度・経度で指定される地点を中心とし、所定距離を半径とする円で含まれる情報提供エリア内を、再生地点とすることができる。つまり、車載器２００を搭載した車両がこの情報提供エリア内のどこかに入れば、ディジタルデータ１５０が再生される。
【０１２４】
なお、情報提供エリアの形状は円に限られず、楕円、四角形など、任意の図形で囲まれる領域であってもよい。
【０１２５】
情報提供中心座標１２０１は、情報提供エリアの中心座標であり、緯度・経度を用いて表される。情報提供中心座標１２０１には、対象地点座標１１０１と同様に、緯度・経度を日本測地系と世界測地系のどちらで表現するかを指定する測地系識別フラグも含まれる。
【０１２６】
情報提供半径１２０２は、情報提供エリアを定める円の半径であり、メートルを単位として表される。
【０１２７】
１組の情報提供中心座標１２０１と情報提供半径１２０２によって、１つの情報提供エリアが定まる。
【０１２８】
ディジタルデータ１５０に情報提供中心座標１２０１が含まれ且つ情報提供半径１２０２が含まれない場合、再生地点は、情報提供中心座標１２０１で指定される地点である。車載器２００を搭載した車両がこの地点を通過すれば、ディジタルデータ１５０が再生される。
【０１２９】
情報提供方向１２０３は、緯度や経度などを用いて、あるいは、例えば東西南北や１６方位程度のおおまかな方向を用いて表される。情報提供方向１２０３が設定されているディジタルデータ１５０は、車載器２００が再生地点を情報提供方向１２０３が示す方向に移動している場合に再生される。つまり、車載器２００が再生地点を情報提供方向１２０３が示す方向ではない方向に移動している場合には再生されない。
【０１３０】
ただし、左右２２．５度程度の反応角度を設定し、自車の進行方向と情報提供方向１２０３が示す方向との差が反応角度以内であれば、両者は一致するとみなして、ディジタルデータ１５０を再生することが望ましい。
【０１３１】
なお、制御部２０７は、センサ群２２５が備える方向センサを用いて自車の進行方向を判別することができる。また、方向センサを備えなくても、制御部２０７は、ある時刻Ｔ１における自車の位置と、別の時刻Ｔ２における自車の位置とを結ぶ方向ベクトルから自車の進行方向を判別することもできる。
【０１３２】
情報提供道路種別１２０４は、一般道路、高速道路、一方通行など、道路の種別を表す情報である。情報提供道路種別１２０４が設定されているディジタルデータ１５０は、車載器２００が情報提供道路種別１２０４の示す道路を通過する場合に再生される。つまり、車載器２００が再生地点に到達しても、情報提供道路種別１２０４の示す道路ではない道路を通過する場合には再生されない。
【０１３３】
上記の情報提供中心座標１２０１、情報提供半径１２０２、情報提供方向１２０３、情報提供道路種別１２０４のうちいずれか１つ、もしくは、これらのうち２つ以上の組み合わせによって、ディジタルデータ１５０の再生開始条件が設定される。ショップ（又はサービス事業者）は、自由に再生開始条件を設定することができる。例えば、情報提供中心座標１２０１と情報提供半径１２０２と情報提供方向１２０３が設定されている場合、これら３つの条件をすべて満たすこと（論理積；ＡＮＤ）が再生開始条件となる。例えば、情報提供中心座標１２０１と情報提供半径１２０２が設定され情報提供方向１２０３が設定されていない場合、情報提供中心座標１２０１と情報提供半径１２０２の２つの条件を満たすこと（ＡＮＤ）が再生開始条件となる。つまり、制御部２０７は、情報提供中心座標１２０１、情報提供半径１２０２、情報提供方向１２０３、情報提供道路種別１２０４のうち設定されているもの同士の論理積をとって、再生開始条件とする。論理和に限らず任意の論理式を用いて、あるいは任意の数式を用いて、再生開始条件を定義できる。
【０１３４】
ポップアップ用画像データ１２０５は、所定の画像形式、所定の画像サイズ、所定の色数で作成された画像データ本体である。画像形式には、ＪＰＥＧ、ＧＩＦ、ＰＮＧ、ビットマップ、などがある。画像サイズは、典型的にはメイン画像データ１１０４よりも小さいサイズである。制御部２０７は、所定の再生開始条件が満たされたと判別すると、ポップアップ用画像データ１２０５を読み出して表示部２０３にモニターへ表示させる。画像の表示位置は任意であるが、典型的には画面の中央付近である。ポップアップ用画像データ１２０５には、メイン画像データ１１０４と同様に、画像のフォーマットを指定する情報である画像形式識別フラグが含まれる。
【０１３５】
ポップアップ用ＴＴＳ言語データ１２０６は、ＴＴＳ形式で作成される発話用の音声のデータ本体である。ポップアップ用ＴＴＳ言語データ１２０６には、ＴＴＳ言語データ１１０５と同様に、言語識別フラグと音声形式識別フラグが含まれる。
【０１３６】
ポップアップ用圧縮音声データ１２０７は、所定の圧縮形式で作成された音声のデータ本体である。圧縮形式には、ＩＭＡ−ＡＤＰＣＭ、ＭＰ３、ＡＡＣ、ＣＥＬＰ、ＰＣＭなどがある。ポップアップ用圧縮音声データ１２０６には、圧縮音声データ１１０６と同様に、ポップアップ用圧縮音声データ１２０６のフォーマットを指定する情報である圧縮音声形式識別フラグが含まれる。
【０１３７】
ポップアップ用画像データ１２０５、ポップアップ用ＴＴＳ言語データ１２０６、ポップアップ用圧縮音声データ１２０７を総称して「ポップアップ用コンテンツデータ」と呼ぶことがある。
【０１３８】
音声再生順１２０８は、音声再生順１１０７と同様に、情報提供地点情報５０７に音声データとしてポップアップ用ＴＴＳ言語データ１２０６とポップアップ用圧縮音声データ１２０７の両方が含まれている場合、どの順番で再生するかを指定する情報である。
【０１３９】
１つの再生地点には、１組の情報提供中心座標１２０１と情報提供半径１２０２と情報提供方向１２０３と情報提供道路種別１２０４とポップアップ用画像データ１２０５とポップアップ用ＴＴＳ言語データ１２０６とポップアップ用圧縮音声データ１２０７と音声再生順１２０８の組み合わせ（再生地点データ）が対応付けられる。上述のように、本実施形態では、１つのディジタルデータ１５０につき、最大で５つの再生地点を設定することができ、それぞれの再生地点ごとに再生地点データを格納できる。
【０１４０】
例えば、ショップのある場所に上り車線を通って接近する場合と下り車線を通って接近する場合とで、上り車線用の駐車場案内と下り車線用の駐車場案内といったように異なるディジタルコンテンツをユーザの手を煩わすことなく視聴してもらうことが可能である。
【０１４１】
情報提供地点情報５０７に、ポップアップ用画像データ１２０５とポップアップ用ＴＴＳ言語データ１２０６（又はポップアップ用圧縮音声データ１２０７）の両方が含まれている場合、制御部２０７は、これらのデータの再生を同じタイミングで開始することが望ましい。
【０１４２】
図１９（ａ）は、ポップアップ表示される画面の構成例である。制御部２０７は、情報提供地点情報５０７が格納されているディジタルデータ１５０を受信し、再生開始条件が満たされたと判別すると、ポップアップ用画像データ１２０５とポップアップ用ＴＴＳ言語データ１２０６とポップアップ用圧縮音声データ１２０７とを再生する。モニターにはポップアップ画像１９０１が表示され、スピーカからは再生音が出力される。例えば、ポップアップ用圧縮音声データ１２０７にショップのジングルが格納され、ポップアップ用ＴＴＳ言語データ１２０６にショップの名前等を発音する音声が格納され、音声再生順１２０８にはポップアップ用圧縮音声データ１２０７、ポップアップ用ＴＴＳ言語データ１２０６の順に再生する旨の情報が格納されているとする。この場合、制御部２０７は、まずショップのジングルを再生し、その後、ショップの名前を発音する音声を再生する。
【０１４３】
上述の説明では、ポップアップ用コンテンツデータとしてポップアップ用画像データ１２０５、ポップアップ用ＴＴＳ言語データ１２０６、ポップアップ用圧縮音声データ１２０７のすべてがディジタルデータ１５０に格納されていることを前提にしているが、ポップアップ用画像データ１２０５のみ、あるいはポップアップ用ＴＴＳ言語データ１２０６のみ等、これらすべてを有していない場合もある。
【０１４４】
制御部２０７は、図１９（ｂ）に示すように、ポップアップで表示された情報より更に詳しい情報を再生する旨の指示入力をユーザから受け付けるボタン１９０２と、ポップアップ画像１９０１に対応するディジタルデータ１５０をお気に入りグループに追加する旨の指示入力をユーザから受け付けるボタン１９０３と、ポップアップで表示された画像に対応するショップをカーナビゲーションシステムによる目的地あるいは経由地に設定する旨の指示入力をユーザから受け付けるボタン１９０４と、を表示させてもよい。
【０１４５】
以下の説明では、ボタンが表示されている画像領域に相当するタッチパネル部分がユーザにより押圧されることを、単に「ボタンが押圧される」と表現する。
【０１４６】
ボタン１９０２が押圧された場合、制御部２０７は、ポップアップで再生したディジタルデータ１５０の対象地点情報５０６に格納されているメインコンテンツデータ（つまりメイン画像データ１１０４、ＴＴＳ言語データ１１０５、圧縮音声データ１１０６、ビデオデータ１１０８）を再生する。ただし、制御部２０７は、車載器２００を搭載している車両が走行中でなければ再生を許可し、走行中である場合には再生を許可しないこととすることもできる。制御部２０７は、速度センサ、走行距離センサ、方向センサ、ブレーキセンサ等のセンサ群２２５からの検出信号から、車両が走行中か否かを判断すればよい。制御部２０７は、車両が走行中の場合、ボタン１９０２を表示させないか、あるいはボタン１９０２をグレーで表示し、ユーザによる押圧を受け付けないようにする。なお、メインコンテンツデータは、メイン画像データ１１０４、ＴＴＳ言語データ１１０５、圧縮音声データ１１０６、ビデオデータ１１０８のすべてを有する場合もあるが、これらのうちの１つのみを有する場合や、これらのうち２つ以上を有する場合もある。
【０１４７】
また、ボタン１９０３が押圧された場合、制御部２０７は、ボタン１９０３が押圧されたときにポップアップ表示していたディジタルデータ１５０からサービス事業者コード６０１と、情報コード７０４（識別符号）とを読み出し、読み出したこれらの情報を、お気に入りグループに追加するディジタルデータ１５０のインデックス（以下「インデックス情報」という。）として、記憶装置２０６に記憶させる。制御部２０７は、このように記憶したインデックス情報に基づいて、お気に入りグループに属するディジタルデータ１５０のリストを表示させることができる。そして、ユーザにより所望のディジタルデータ１５０が選択されると、制御部２０７は、選択されたディジタルデータ１５０の再生を開始する。
【０１４８】
また、ボタン１９０４が押圧された場合、制御部２０７は、ポップアップで再生したディジタルデータ１５０に格納されている対象地点座標１１０１で示される位置を、目的地あるいは経由地に設定する。ただし、ディジタルデータ１５０に対象地点座標１１０１が格納されていない場合、制御部２０７は、ボタン１９０４を表示させないか、あるいはボタン１９０４をグレーで表示し、ユーザによる押圧を受け付けないようにすることもできる。
【０１４９】
次に、遷移情報５０８の詳細について、図１３等を用いて説明する。
【０１５０】
次再生情報コード１３０１は、車載器２００が対象地点情報５０６に格納される画像データ等を再生しているとき、ユーザが次に再生を指示することができるディジタルデータ１５０を指定する情報であり、コンテンツ情報５０２の情報コード７０４に用いられる識別符号で表現される。本実施形態では、１つのディジタルデータ１５０は、最大で８個の次再生情報コード１３０１を格納することができる。ただし、７個以下、あるいは、９個以上の次再生コード１３０１を指定できる実施形態を採用することもできることは言うまでもない。
【０１５１】
図２０（ａ）〜（ｃ）、図２１（ａ），（ｂ）、及び、図２２（ａ），（ｂ）は、記憶装置２０６に予め格納された画像データに基づいて制御部２０７が生成した画像データや、ディジタルデータ１５０に格納されている画像データを、制御部２０７が再生してモニターに表示したときの画面の構成例である。本例は、あるレストランが提供するディジタルコンテンツを再生したときの画面遷移を表している。例えばディジタルコンテンツは、Ｎ個のディジタルデータ１５０（第１ディジタルデータ、第２ディジタルデータ、第３のディジタルデータ、…、第Ｎディジタルデータ）から構成される。これらの図を使って、画面遷移について説明する。
【０１５２】
ユーザによるディジタルコンテンツの再生開始の指示があると、制御部２０７は、まず、最初に再生することが予め指定されている画像データ等を再生する。例えば図２０（ａ）に示すように、制御部２０７は、カーナビゲーションシステムを起動するか、あるいは、ＤＳＲＣを使った情報提供システム（以下、単に「ＤＳＲＣシステム」と呼ぶ）を起動するか、の選択を受け付ける車載器トップ画面を表示させる。車載器トップ画面用の画像データや音声データ等は記憶装置２０６に予め記憶されている。なお、車載器２００がカーナビゲーションシステムを備えていない実施形態を採用するのであれば、車載器トップ画面をスキップし、後述する図２０（ｂ）の画面を最初に表示してもよい。
【０１５３】
図２０（ａ）において、ＤＳＲＣシステムを起動する旨の指示入力をユーザから受け付けた場合、制御部２０７は、図２０（ｂ）に示すように、ＤＳＲＣシステムのメインメニューに画面を遷移させる。ここで再生される画像データや音声データ等は記憶装置２０６に予め記憶されている。この画面からは、例えば、ＤＳＲＣシステムの初期設定等を行うためのセットアップ画面、リアルタイムで路側無線装置１００から配信される交通情報を取得する画面、ショップから提供されるディジタルコンテンツを視聴する画面（エンターテイメント）、などに遷移できる。なお、カーナビゲーションシステムを起動する旨の指示入力を受け付けた場合、制御部２０７は、カーナビゲーション用の画面に遷移させるが、これ以降の画面遷移の詳細については省略する。
【０１５４】
図２０（ｂ）において、“エンターテイメント”が選択されると、制御部２０７は、図２０（ｃ）に示すように、サービス事業者の選択をユーザから受け付ける画面に遷移させる。ここで再生される画像データや音声データ等は記憶装置２０６に予め記憶されている。例えば、ユーザが予め契約したサービス事業者の一覧が表示される。なお、制御部２０７は、ユーザが未契約のサービス事業者を、契約済みのサービス事業者との区別を明瞭にした上で合わせて表示させ、未契約のサービス事業者が選択された場合、契約手続き画面に遷移させるようにしてもよい。
【０１５５】
図２０（ｃ）において、いずれかのサービス事業者が選択されると、制御部２０７は、図２１（ａ）に示すように、選択されたサービス事業者のトップメニューの画面データをメイン画像データ１１０４に格納している第１ディジタルデータを再生する。例えば、トップメニューからは、サービス事業者Ａと提携しているショップのページに遷移可能である。第１ディジタルデータの次再生情報コード１３０１には、例えばそれぞれのショップのトップページを構成するディジタルデータ１５０を指定する識別符号など、最大で８個の遷移先のディジタルデータ１５０を指定する識別符号が格納される。
【０１５６】
制御部２０７は、それぞれのページに画面を遷移させるためのボタン（以下「画面遷移用ボタン」という。）２１０１，２１０２，２１０３を出力部２０３に表示させる。例えば、画面遷移用ボタン２１０１，２１０２，２１０３のいずれかが押圧されると、制御部２０７は、押圧されたボタンに対応付けられたディジタルデータ１５０を再生し、画面を遷移する。また、制御部２０７は、ディジタルコンテンツの再生を終了する旨の指示入力を受け付けるボタン２１０９を表示させる。ボタン２１０９が押圧されると、制御部２０７は、ディジタルデータ１５０の再生を終了する。
【０１５７】
また、制御部２０７は、上述したように、ディジタルデータ１５０に対象地点情報５０６の対象地点座標１１０１が格納されている場合、対象地点座標１１０１をカーナビゲーションシステムによる道案内の目的地あるいは経由地に設定することができる。例えば、対象地点座標１１０１で示される位置をカーナビゲーションシステムによる道案内の目的地あるいは経由地に設定するためのボタン２１１０が押圧された場合、制御部２０７は、対象地点座標１１０１で示される位置を目的地あるいは経由地に設定する。
【０１５８】
また、制御部２０７は、再生中の画面を後でユーザがすぐに再生できるように、お気に入りグループに追加するためのボタン２１１１を表示させてもよい。
【０１５９】
すなわち、制御部２０７は、ボタン２１１１が押圧されたときに再生していたディジタルデータ１５０からサービス事業者コード６０１と、情報コード７０４（識別符号）とを読み出し、読み出したこれらの情報を、インデックス情報として、記憶装置２０６に記憶させる。制御部２０７は、このように記憶したインデックス情報に基づいて、お気に入りグループに属するディジタルデータ１５０のリストを表示させることができる。そして、ユーザにより所望のディジタルデータ１５０が選択されると、制御部２０７は、選択されたディジタルデータ１５０の再生を開始する。このようにお気に入りグループに追加することで、ユーザは、所望の画面を後で容易に視聴することができる。
【０１６０】
図２１（ａ）において、例えばボタン２１０２が押圧されると、制御部２０７は、“ショップ××”ページのディジタルデータ１５０（第２ディジタルデータ）を再生して、図２１（ｂ）に示すような“お食事メニュー”ページに画面を遷移する。
【０１６１】
第２ディジタルデータの次再生情報コード１３０１には、例えば“本日のおすすめ”ページのディジタルデータ１５０を指定する識別符号、“麺類”ページのディジタルデータ１５０を指定する識別符号など、最大で８個の遷移先のディジタルデータ１５０を指定する識別符号が格納される。画面遷移用ボタン２１０１乃至２１０８には、“本日のおすすめ”ページのディジタルデータ１５０を指定する識別符号、“麺類”ページのディジタルデータ１５０を指定する識別符号など、次再生情報コード１３０１に指定された識別符号がそれぞれ新しく対応付けられる。
【０１６２】
図２１（ａ）の画面から図２１（ｂ）の画面に遷移させる際、選択されたショップのディジタルコンテンツを構成するディジタルデータ１５０の中に、ＴＴＳ言語データ１１０５と圧縮音声データ１１０６と音声再生順１１０７とが格納されているディジタルデータ１５０（典型的には選択されたショップのトップ画面に対応するディジタルデータ１５０）が存在する場合、制御部２０７は、画面を遷移させるとともに、音声をスピーカから出力させる。例えば、圧縮音声データ１１０６にショップのジングルが格納され、ＴＴＳ言語データ１１０５にショップの名前等を発音する音声が格納され、音声再生順１１０７には圧縮音声データ１１０６、ＴＴＳ言語データ１１０５の順に再生する旨の情報が格納されているとする。この場合、制御部２０７は、まずショップのジングルを再生し、その後、ショップの名前を発音する音声を再生する。なお、制御部２０７は、図２１（ａ）や図２１（ｂ）の画面のディジタルデータ１５０に限らず、任意のディジタルデータ１５０について、画面の遷移とともに音声を再生することができる。
【０１６３】
図２１（ｂ）において、例えばボタン２１０３が押圧されると、制御部２０７は、“定食”ページのディジタルデータ１５０（第３ディジタルデータ）を再生して、図２２（ａ）に示すような“定食”ページに画面を遷移する。
【０１６４】
第３ディジタルデータには、例えば“○○定食”ページのディジタルデータ１５０を指定する識別符号、“××定食”ページのディジタルデータ１５０を指定する識別符号など６個の識別符号が格納されている。そして、画面遷移用ボタン２１０１乃至２１０５には、“○○定食”ページのディジタルデータ１５０を指定する識別符号、“××定食”ページのディジタルデータ１５０を指定する識別符号などが新しく対応付けられる。
【０１６５】
図２２（ａ）において、例えばボタン２１０５が押圧されると、制御部２０７は、“サラダ・ドリンク付き”ページのディジタルデータ１５０（第４ディジタルデータ）を再生して、図２２（ｂ）に示すような“サラダ・ドリンク付き”ページに画面を遷移する。
【０１６６】
第４ディジタルデータには、例えば“○○定食”ページのディジタルデータ１５０を指定する識別符号など、４個の識別符号が格納されている。そして、画面遷移用ボタン２１０１乃至２１０４には、“○○定食”ページのディジタルデータ１５０を指定する識別符号などが新しく対応付けられる。つまり、“○○定食”ページには、図２２（ａ）に示す画面からたどり着くこともできるし、図２２（ｂ）に示す画面からたどり着くこともできる。
【０１６７】
なお、図２１（ａ）に示すようなサービス事業者のトップページは、各ショップのトップ画面にリンクするページに限定されない。例えば、ショップ毎に分類せず、図２２（ｂ）に示すようなショップ内の任意のディジタルデータ１５０に直接リンクするページであってもよい。また、各ショップのトップページへのリンクと、個別のディジタルデータ１５０のページへのリンクとが混在する画面でもよい。
【０１６８】
例えば、サービス事業者が、ショップ（テナント）が入っていないデパートである場合、図２１（ｂ）に示すショップの選択画面を省略し、図２０（ｃ）に示すサービス事業者選択ページから図２１（ｂ）に示すようなページに遷移させればよい。この場合、図２１（ｂ）において、“ショップ”のトップページを、“サービス事業者”のトップページに置き換えればよい。
【０１６９】
例えば、サービス事業者が、ショップが入っていて且つ自らも商品・役務を提供するようなショッピングセンターである場合、図２１（ａ）に示すサービス事業者のトップページには、サービス事業者自らが提供するページのディジタルデータ１５０へのリンクと、ショップが提供するディジタルデータ１５０へのリンクの両方を含めることができる。
【０１７０】
このように、次再生情報コード１３０１を用いれば、ディジタルコンテンツを構成する複数のディジタルデータ１５０の間で複雑に入り組んだ関連性を保ちつつ、ユーザが視聴したページに簡単にたどり着けるように構成することができる。
【０１７１】
本実施形態では、遷移先のディジタルデータ１５０を指定する識別符号が対応付けられていないボタンは表示されない。ただし、遷移先のディジタルデータ１５０を指定する識別符号が対応付けられている他のボタンとの視覚的な区別が容易な程度にアレンジして、例えばグレーや影付きで、表示することとしてもよい。
【０１７２】
遷移情報５０８を設定することによって、複数のディジタルデータ１５０から構成されるディジタルコンテンツにおいて、ショップの意図通りに画面を遷移させることができる。また、ユーザは自分の見たいページまで簡単にたどり着けるようになり好都合である。遷移情報５０８は、分岐型の画面遷移を実現するために好適である。
【０１７３】
次に、詳細情報５０９の詳細について、図１４を用いて説明する。
【０１７４】
詳細情報５０９は、ディジタルコンテンツが複数のディジタルデータ１５０から構成される場合、もしくは、記憶装置２０６に複数のディジタルデータ１５０が記憶されている場合、ユーザがいち早く所望のページを探し出せるように、検索を容易にするための情報である。本実施形態では、最大で８個の詳細情報５０９を設定することができる。ただし、７箇所以下、あるいは、９箇所以上の詳細情報５０９を指定できる実施形態を採用することもできることは言うまでもない。
【０１７５】
詳細情報データ１４０１は、ディジタルデータ１５０の内容を端的に表現するキーワードを格納する。キーワードは、任意の文字、数字、記号等を用いて設定される。１つのキーワードは、長くても全角２０文字程度に収めることが望ましい。
【０１７６】
詳細情報表示用文字列１４０２は、上記キーワードをモニターに表示するときに用いる文字列データである。
【０１７７】
詳細情報発話用表音文字列１４０３は、上記キーワードを音声で出力するときに用いる発話用ＴＴＳデータである。
【０１７８】
詳細情報５０９を設定することによって、ユーザは自分の見たいページを簡単に探し出せるようになり好都合である。詳細情報５０９は、串刺し型の画面遷移を実現するために好適である。例えば、車載器２００の電源を投入したときのトップページ等に検索ボタンを設け、ユーザから任意の文字列等の入力を受け付ける。車載器２００は、受け付けた文字列等と一致するキーワードが詳細情報５０９に格納されているディジタルデータ１５０を検索してリスト表示する。リスト表示されたページの中からいずれかがユーザにより選択されると、車載器２００は、選択されたページにジャンプする。
【０１７９】
本実施形態では１つのディジタルデータ１５０につき８個の詳細情報５０９を格納できるので、８個のキーワードを設定することが可能である。しかし、詳細情報データ１４０１の記載形式を工夫することで、更に多くのキーワードを設定することもできる。
【０１８０】
例えば、詳細情報データ１４０１に、キーワードの区切りを表す所定の記号（例えば“＿”）を挟んで、「和食＿わしょく＿わしよく」のような形式でキーワードを設定する。制御部２０７は、所定の記号が含まれる場合、その記号の位置がキーワードの切れ目であると判断し、複数のキーワードが設定されているものとみなす。この例では、制御部２０７は、“和食”と“わしょく”と“わしよく”のすべてがキーワードとなる。このように、いわゆるあいまい検索も可能である。
【０１８１】
例えば、詳細情報データ１４０１にキーワード“クーポン”を設定したディジタルデータ１５０と、設定していないディジタルデータ１５０とを配信する。車載器２００の制御部２０７は、ユーザの指示により、キーワード“クーポン”が設定されているディジタルデータ１５０のみを抽出してモニターに表示させることができる。
【０１８２】
なお、詳細情報データ１４０１のデータ領域として、所定のｎビット（ｎは１以上の整数）を確保し、それぞれのビットに所定のキーワードを予め対応付けておき、それぞれのビットのＯＮ／ＯＦＦでキーワードを設定するようにしてもよい。例えば、「クーポン」と「新着」と「更新」の３つのキーワードに１ビットずつ割り当てておき、それぞれのビットを１又は０にセットする。ビットの値が“１０１”であれば、キーワード「クーポン」と「更新」が設定されていることと実質的に同じになる。
【０１８３】
次に、駐車場情報５１０の詳細について、図１５を用いて説明する。
【０１８４】
駐車場情報５１０は、ショップの近くに存在する駐車場を案内するための駐車場データを格納する。本実施形態の情報提供装置（車載器２００）は自動車等の車両に搭載されるため、ユーザがショップに立ち寄る（ユーザにショップへ立ち寄ってもらう）ためには駐車場に関する情報が重要である。
【０１８５】
駐車場ＩＤ１５０１は、駐車場ごとにユニークに割り当てられた記号、番号である。
【０１８６】
駐車場詳細情報１５０２は、駐車場ＩＤ１５０１が示す駐車場に関する詳しい情報を格納する。駐車場の名称や座標等の静的情報は、駐車場ＩＤ１５０１と共に、車載器２００の記憶装置２０６に地図データベースとして保存されている。一方、満空情報や料金の割引情報、予約の可否、営業時間等の動的情報が、駐車場詳細情報１５０２として格納されている。
【０１８７】
駐車場特記事項１５０３は、駐車場詳細情報１５０２のほかに追加すべき情報がある場合に設定される。駐車場特記事項１５０３には、「本日お祭り開催のため混雑が予想されます」などといったような駐車場詳細情報１５０１で表現できない内容を記載できる。
【０１８８】
駐車場情報発話用表音文字列１５０４は、駐車場詳細情報１５０２及び／又は駐車場特記事項１５０３を音声で出力するときに用いる発話用ＴＴＳデータである。
【０１８９】
１組の駐車場ＩＤ１５０１、駐車場詳細情報１５０２、駐車場特記事項１５０３、駐車場情報発話用表音文字列１５０４が、１つの駐車場に割り当てられる。本実施形態では、最大で１２７箇所の駐車場情報を提供できる。ただし、１２６箇所以下、あるいは、１２８箇所以上の駐車場情報を指定できる実施形態を採用することもできることは言うまでもない。
【０１９０】
記憶装置２０６は、駐車場ＩＤと、駐車場の場所（緯度・経度）を示す情報とを対応付けて予め記憶する。制御部２０７は、この記憶装置２０６に記憶された情報から、駐車場ＩＤ１５０１が示す駐車場の位置を取得できる。制御部２０７は、取得した駐車場の位置を、ユーザの指示により、カーナビゲーションにおける目的地あるいは経由地に設定することができる。
【０１９１】
次に、運転支援情報５１１の詳細について、図１６を用いて説明する。
【０１９２】
駐車場の位置は緯度・経度を用いて表現されるため、２次元マップを用いてナビゲーションを行うと、モニターには駐車場のある場所が平面的に表示される。しかし、地下駐車場や立体駐車場の場合には、緯度・経度だけでは充分に場所を案内できない可能性がある。運転支援情報５１１は、駐車場付近を運転する際の補助となる情報である。例えば運転支援情報５１１が格納されるディジタルデータ１５０は、駐車場付近に設置された路側無線装置１００から、即時再生／蓄積コード８０１で「表示する」と指定されたディジタルデータ１５０として送信される。制御部２０７は、このディジタルデータ１５０を受信すると、直ちに再生する。
【０１９３】
例えば、駐車場Ｐ１の近くに設置されている路側無線装置１００は、駐車場Ｐ１内の道案内や、駐車場Ｐ１周辺の交通案内（例えば細い路地など視界が良くない場所等における「駐車場はこの先まっすぐ行ったところにあります」といった案内）を運転支援情報５１１に格納しているディジタルデータ１５０を配信する。このディジタルデータ１５０を受信した車載器２００の制御部２０７は、運転支援情報５１１を用いて直ちに注意を促す画像や音声を出力させる。
【０１９４】
運転支援画像データ１６０１は、所定の画像形式、所定の画像サイズ、所定の色数で作成された画像データ本体である。画像形式には、ＪＰＥＧ、ＧＩＦ、ＰＮＧ、ビットマップ、などがある。制御部２０７は、運転支援情報５１１を格納しているディジタルデータ１５０を受信すると、運転支援画像データ１６０１を読み出して表示部２０３にモニターへ表示させる。運転支援画像データ１６０１には、メイン画像データ１１０４と同様に、画像のフォーマットを指定する情報である画像形式識別フラグが含まれる。
【０１９５】
運転支援発話用表音文字列１６０２は、ＴＴＳ形式で作成される発話用の音声のデータ本体である。運転支援発話用表音文字列１６０２には、ＴＴＳ言語データ１１０５と同様に、言語識別フラグと音声形式識別フラグが含まれる。
【０１９６】
運転支援圧縮音声データ１６０３は、所定の圧縮形式で作成された音声のデータ本体である。圧縮形式には、ＩＭＡ−ＡＤＰＣＭ、ＭＰ３、ＡＡＣ、ＣＥＬＰ、ＰＣＭなどがある。運転支援圧縮音声データ１６０３には、圧縮音声データ１１０６と同様に、運転支援圧縮音声データ１６０３のフォーマットを指定する情報である圧縮音声形式識別フラグが含まれる。
【０１９７】
音声再生順１６０４は、音声再生順１１０７と同様に、運転支援情報５１１に音声データとして運転支援発話用表音文字列１６０２と運転支援圧縮音声データ１６０３の両方が含まれている場合、どの順番で再生するかを指定する情報である。
【０１９８】
１組の運転支援画像データ１６０１、運転支援発話用表音文字列１６０２、運転支援圧縮音声データ１６０３、音声再生順１６０４が、１つの運転支援情報となる。
【０１９９】
次に、嗜好情報５１２の詳細について、図１７を用いて説明する。
【０２００】
嗜好情報５１２は、サービス事業者（配信サーバ３００）がユーザの嗜好する情報を選択して配信するために利用される。嗜好情報５１２は、サービス事業者が配信する情報（ディジタルデータ１５０）を複数項目（例えば、最大１２８項目）に分類して示すデータテーブル（嗜好データテーブル）であり、サービス事業者によって予め決められる。嗜好データテーブルは、サービス事業者によって随時更新可能である。
【０２０１】
配信サーバ３００は、例えば、契約したユーザの車載器２００から初めてアップリンク情報が送信された場合や、初回ではないものの車載器２００からのアップリンク情報に含まれる嗜好情報５１２のバージョン（嗜好情報バージョン１７０１）が異なる（古い）場合等に、嗜好情報５１２を格納しているディジタルデータ１５０を車載器２００に送信する。
【０２０２】
嗜好情報バージョン１７０１は、嗜好情報５１２（即ち、嗜好データテーブル）のバージョンである。サービス事業者は、嗜好データテーブルを更新する際には、嗜好情報バージョン１７０１も更新する。
【０２０３】
嗜好情報表示用文字列１７０２は、分類項目に対応する所定の文字列をモニターに表示するときに用いる文字列データである。
【０２０４】
嗜好情報発話用表音文字列１７０３は、分類項目に対応する所定の文字列を音声で出力するときに用いる発話用ＴＴＳデータである。
【０２０５】
嗜好情報表示用ネスト１７０４は、嗜好情報表示用文字列１７０２に格納される文字列を表示する際のネストの深さを示す数値である。
【０２０６】
図２３は、嗜好情報５１２の内容をモニターに表示した際の画面の一例である。例えば、分類項目「暮らし」は、更に「病院」と「ロードサービス」の２つの項目に分類される。この場合、分類項目「病院」のネストは、「暮らし」の２階層目である。仮に、分類項目「暮らし」の嗜好情報表示用ネスト１７０４が“０”であると、分類項目「病院」の嗜好情報表示用ネスト１７０４は“１”となる。
【０２０７】
それぞれの分類項目には、所定の分類コードが予め割り当てられている。例えば、「暮らし」に分類コード＝１、「病院」に分類コード＝２、「小児科」に分類コード＝３、といった具合である。本実施形態では、ディジタルデータ１５０を最大で１２８種類に分類できる。ただし、１２７種類以下、あるいは、１２９種類以上に分類する実施形態を採用することもできることは言うまでもない。
【０２０８】
例えば、ユーザは、図２３に示す画面において、所望の分類項目にチェックマークをつける等して、サービス事業者に配信して欲しい情報を選択することができる。制御部２０７は、その選択結果を嗜好データとして、記憶装置２０６に保存する。また、制御部２０７は、後述するように、更新された嗜好データをアップリンク情報に格納して配信サーバ３００に送信する。配信サーバ３００は、受信した嗜好データに基づいて、ディジタルデータ１５０を構築し、当該ユーザ（車載器２００）に配信する。
【０２０９】
また、路側無線装置１００は、車載器２００からアップリンクされた嗜好データを用いて、嗜好データに合致する内容のディジタルデータ１５０のみ抽出して車載器２００に配信してもよい。
【０２１０】
なお、嗜好情報バージョン１７０１に指定されるバージョンが変わった場合、すなわち、嗜好データテーブルのバージョンが変わった場合、制御部２０７は、現在記憶装置２０６に記憶している嗜好データを一時待避させ、新しい嗜好データテーブルを初期値で記憶装置２０６に記憶させた後、一時待避させた嗜好データを上書きして反映させることが望ましい。これにより、ユーザに再び嗜好データを設定し直させるような手間をかけずに済む。
【０２１１】
次に、構成ＩＤ情報５００の詳細について、図１８を用いて説明する。
【０２１２】
構成ＩＤ情報５００は、ディジタルデータ１５０に、上述の事業者情報５０１、コンテンツ情報５０２、再生条件情報５０３、有効期限情報５０４、提供時間情報５０５、対象地点情報５０６、情報提供地点情報５０７、遷移情報５０８、詳細情報５０９、駐車場情報５１０、運転支援情報５１１、及び、嗜好情報５１２の各項目が、それぞれ格納されているか否かを示す情報である。
【０２１３】
本実施形態では、各項目に予め割り当てられているＩＤは２バイトの数値で表現される。構成ＩＤ情報５００には、ディジタルデータ１５０に含まれている項目に対応するＩＤを、数値の小さい順に羅列して格納されている。
【０２１４】
例えば、構成ＩＤ情報５００に、“０１０２０３０４０５１０”が格納されている場合、このディジタルデータ１５０には、事業者情報５０１（ＩＤ＝０１）、コンテンツ情報５０２（ＩＤ＝０２）、再生条件情報５０３（ＩＤ＝０３）、有効期限情報５０４（ＩＤ＝０４）、提供時間情報５０５（ＩＤ＝０５）、及び、対象地点情報５０６（ＩＤ＝１０）が格納されていることを意味する。
【０２１５】
なお、構成ＩＤ情報５００に格納するデータの形式は、この手法に限定されない。例えば、上記１４項目のそれぞれに１ビットずつ割り当て、格納されているのであれば対応するビットを“１”に、格納されていないのであれば対応するビットを“０”にする、といった形式でもよい。
【０２１６】
（注文受付処理における画面遷移）
次に、上記各構成を有する情報提供システムを用いた注文受付処理について説明する。本実施形態では、ユーザは、車載器２００を操作することにより、車両の中に居ながら商品等の注文ができる。以下詳述する。
【０２１７】
図２４は、配信サーバ３００から配信されるディジタルコンテンツの構成例を示す図である。ディジタルコンテンツは、複数のディジタルデータ１５０（本図中では１５０−１乃至１５０−２６と記載）から構成される。矢印は、出力部２０３が備えるモニターに表示される画面の遷移可能な遷移方向を示す。それぞれのディジタルデータ１５０の次再生情報コード１３０１に遷移先のディジタルデータ１５０を示す識別符号を予め格納することにより、制御部２０７によって再生される画面等の遷移可能な遷移方向が定義される。
【０２１８】
それぞれのディジタルデータ１５０には、図５に示す各項目のうちの全部又は一部の項目の情報が予め格納されている。以下、ディジタルコンテンツが図２４に示すように互いに関連付けされた複数のディジタルデータ１５０から構成されるものとして説明する。ただし、ディジタルコンテンツは任意の内容のディジタルデータ１５０あるいは任意の関連付けを有するディジタルデータ１５０から構成されていてもよいことは言うまでもない。
【０２１９】
図２５乃至図３４は、車載器２００が実行する注文受付処理において、モニターに表示される画面の遷移を表す図である。
図３５は、車載器２００から配信サーバ３００に送信されるアップリンク情報１６０の構成を説明するための図である。
これらの図を用いて、車載器２００が行う注文受付処理の流れについて説明する。
【０２２０】
制御部２０７は、ディジタルコンテンツの再生を先頭から開始する旨の指示入力をユーザから受け付けると、ディジタルコンテンツに含まれる複数のディジタルデータ１５０のうち最初に再生するように予め設定されているディジタルデータ１５０（本実施形態ではディジタルデータ１５０−１に相当する。）を再生する。
【０２２１】
図２５は、“ＴＯＰ画面”のディジタルデータ１５０−１の対象地点情報５０６に含まれるメイン画像データ１１０４を制御部２０７が再生したときの画面の例である。制御部２０７は、ディジタルデータ１５０−１の再生画面と共に、画面遷移用ボタン２１０１乃至２１０８のほか、注文ボタン２５１０と初期化ボタン２５２０を画面に表示させる。
【０２２２】
ディジタルデータ１５０−１にＴＴＳ言語データ１１０５又は圧縮音声データ１１０６が含まれている場合には、制御部２０７は、メイン画像データ１１０４を再生してモニターに表示させると共に、ＴＴＳ言語データ１１０５又は圧縮音声データ１１０６を再生してスピーカから出力させる。ディジタルデータ１５０−１にＴＴＳ言語データ１１０５と圧縮音声データ１１０６の両方が含まれている場合には、制御部２０７は、メイン画像データ１１０４を再生してモニターに表示させると共に、音声再生順１１０７で指定された再生順に、ＴＴＳ言語データ１１０５と圧縮音声データ１１０６を再生する。
【０２２３】
以下、モニターに表示される画面の遷移について説明するが、各々のディジタルデータ１５０に、メイン画像データ１１０４に加えてＴＴＳ言語データ１１０５及び／又は圧縮音声データ１１０６が含まれている場合には、制御部２０７は、特に断りのない限り、メイン画像データ１１０４を再生してモニターに表示すると共に、ＴＴＳ言語データ１１０５及び／又は圧縮音声データ１１０６を再生してスピーカから出力するものとする。
【０２２４】
ディジタルデータ１５０−１の次再生情報コード１３０１には、例えば、遷移先として選択可能なディジタルデータ１５０−２乃至１５０−７を示す識別符号が予め対応付けられている。制御部２０７は、ディジタルデータ１５０−２乃至１５０−７を示す識別符号と、画面遷移用ボタン２１０１乃至２１０６とを関連付けた情報を、ＲＡＭ２０９に一時記憶する。このとき制御部２０７は、画面遷移用ボタン２１０７，２１０８については、識別符号を関連付けない。制御部２０７は、画面遷移用ボタン２１０７が押圧された場合、ディジタルコンテンツの再生を終了する。また、制御部２０７は、画面遷移用ボタン２１０８を表す画像を、例えばグレーアウトするなど、画像処理を施して表示させ、ユーザによる画面遷移用ボタン２１０８の押圧操作を受け付けない。
【０２２５】
更に、制御部２０７は、ディジタルデータ１５０−２３を示す識別符号と注文ボタン２５１０とを関連付けた情報をＲＡＭ２０９に一時記憶する。また、制御部２０７は、ディジタルデータ１５０−２２を示す識別符号と初期化ボタン２５２０とを関連付けた情報をＲＡＭ２０９に一時記憶する。ここで、注文ボタン２５１０と初期化ボタン２５２０は、詳細情報５０９（ＩＤ＝４０）の情報を基に描画される。
【０２２６】
画面に表示されているこれらのボタンのいずれかが押圧された場合、制御部２０７は、押圧されたボタンに関連付けられている識別符号が示すディジタルデータ１５０を再生し、画面を遷移させる。なお、注文ボタン２５１０と初期化ボタン２５２０の機能の詳細については後述する。
【０２２７】
図２５において、例えば画面遷移用ボタン２１０２がユーザによって押圧されると、制御部２０７は、ディジタルデータ１５０−３に格納されているメイン画像データ１１０４を再生して、図２６に示すような“ハンバーガー”メニューの画面に遷移させる。
【０２２８】
ディジタルデータ１５０−３の次再生情報コード１３０１には、遷移先としてユーザが選択可能なディジタルデータ１５０−８乃至１５０−１３を示す識別符号が予め対応付けられている。制御部２０７は、ディジタルデータ１５０−８乃至１５０−１３を示す識別符号と、画面遷移用ボタン２１０１乃至２１０６とを新たに関連付けた情報を、ＲＡＭ２０９に一時記憶する。また、制御部２０７は、ディジタルデータ１５０−１を示す識別符号と画面遷移用ボタン２１０７とを新たに関連付けた情報をＲＡＭ２０９に一時記憶する。制御部２０７は、画面遷移用ボタン２１０８については、識別符号を関連付けない。制御部２０７は、画面遷移用ボタン２１０７が押圧された場合、ディジタルデータ１５０−１を再生して上述の“ＴＯＰ画面”に戻す。また、制御部２０７は、画面遷移用ボタン２１０８を表す画像を、例えばグレーアウトするなど、画像処理を施して表示させ、ユーザによる画面遷移用ボタン２１０８の押圧操作を受け付けない。
【０２２９】
図２６において、例えば画面遷移用ボタン２１０１がユーザによって押圧されると、制御部２０７は、ディジタルデータ１５０−８に格納されているメイン画像データ１１０４を再生して、図２７に示すような“ハンバーガーメニュー・個数と値段（１）”の画面に遷移させる。
【０２３０】
本図に示すように、１つの画面遷移用ボタンには、商品（又は役務）と、その商品（又は役務）の個数とが対応付けられる。つまり、ユーザは、画面遷移用ボタン２１０１乃至２１０８のいずれか１つを押圧することにより、商品（又は役務）とその商品（又は役務）の個数とを一度に選択することができる。
【０２３１】
ディジタルデータ１５０−８の次再生情報コード１３０１には、遷移先としてユーザが選択可能なディジタルデータ１５０−１４乃至１５０−２０を示す識別符号が予め対応付けられている。制御部２０７は、ディジタルデータ１５０−１４乃至１５０−２０を示す識別符号と、画面遷移用ボタン２１０１乃至２１０７とを新たに関連付けた情報を、ＲＡＭ２０９に一時記憶する。制御部２０７は、ディジタルデータ１５０−３を示す識別符号と画面遷移用ボタン２１０８とを新たに関連付けた情報をＲＡＭ２０９に一時記憶する。
【０２３２】
図２７において、例えば画面遷移用ボタン２１０３がユーザによって押圧されると、制御部２０７は、ディジタルデータ１５０−１６に格納されているメイン画像データ１１０４を再生して、図２８に示すような“ハンバーガーメニュー・個数と値段（２）”の画面に遷移させる。制御部２０７は、注文する商品等の候補のリスト（いわゆる“買い物かご”）に商品等を一時記憶させる指示を受け付けるボタン（以下「買い物かごボタン」という。）２８１０を更に表示させる。ここで、買い物かごボタン２８１０は、詳細情報５０９（ＩＤ＝４０）の情報を基に描画される。
【０２３３】
注文する商品等の候補のリスト（買い物かご）の情報は、車載器２００の記憶装置２０６に一時記憶される。また、車載器２００が後述のようにアップリンク情報１６０を配信サーバ３００に送信することにより、配信サーバ３００の記憶装置３０５にも一時記憶される。
【０２３４】
ディジタルデータ１５０−１６の次再生情報コード１３０１には、遷移先としてユーザが選択可能なディジタルデータ１５０−８及び１５０−１を示す識別符号が予め対応付けられている。制御部２０７は、ディジタルデータ１５０−８及び１５０−１を示す識別符号と、画面遷移用ボタン２１０１及び２１０２とを新たに関連付けた情報を、ＲＡＭ２０９に一時記憶する。このとき制御部２０７は、画面遷移用ボタン２１０３乃至２１０８については識別符号を関連付けず、ユーザによる画面遷移用ボタン２１０３乃至２１０８の押圧操作を受け付けない。
【０２３５】
また、制御部２０７は、ディジタルデータ１５０−２１を示す識別符号と、買い物かごボタン２８１０とを関連付けた情報を、ＲＡＭ２０９に一時記憶する。
【０２３６】
図２８において、買い物かごボタン２８１０がユーザによって押圧されると、制御部２０７は、ディジタルデータ１５０−２１に格納されているメイン画像データ１１０４を再生して、図２９に示すような“買い物かご画面”に遷移させる。
【０２３７】
制御部２０７は、現在買い物かごの中に登録されている商品等のすべてをリストアップして表示することが望ましい。
【０２３８】
ディジタルデータ１５０−２１の次再生情報コード１３０１には、遷移先としてユーザが選択可能なディジタルデータ１５０−１を示す識別符号が予め対応付けられている。制御部２０７は、ディジタルデータ１５０−１を示す識別符号と画面遷移用ボタン２１０１とを新たに関連付けた情報をＲＡＭ２０９に一時記憶する。このとき制御部２０７は、画面遷移用ボタン２１０２乃至２１０８については識別符号を関連付けず、ユーザによる画面遷移用ボタン２１０２乃至２１０８の押圧操作を受け付けない。
【０２３９】
更に、制御部２０７は、配信サーバ３００へのアップリンク情報１６０として、買い物かごボタン２８１０が表示されているときに再生されていたディジタルデータ１５０（この例の場合、ディジタルデータ１５０−１６）を示す識別情報と、所定の第１種の文字列データＷ１とを対応付けた情報を、ＲＡＭ２０９に一時記憶する。
【０２４０】
第１種の文字列データＷ１とは、典型的には、文字列「かご」等を表すデータである。ただし、買い物かごボタン２８１０がユーザによって押圧されたことを判別できるのであれば、任意の文字列を採用することができる。また、文字列に限らず、買い物かごボタン２８１０が押圧されたか否かを示すフラグ値、論理値、数値等を用いてもよい。
【０２４１】
ここで、アップリンク情報１６０の構成の詳細について、図３５を用いて説明する。アップリンク情報１６０は、所定のタイミングで車載器２００から配信サーバ３００に送信される情報である。アップリンク情報１６０は、サービス事業者コード１６１、目的地データ１６２、経由地データ１６３、累計走行距離データ１６４、嗜好データ１６５、会員データ１６６を含む。
【０２４２】
サービス事業者コード１６１は、上述のサービス事業者コード６０１と同様、サービス事業者を特定するための情報である。典型的には、ＤＳＲＣの運用を管理する機関が、サービス事業者毎にユニークなコードを割り当てる。
【０２４３】
目的地データ１６２は、ユーザによって設定された、カーナビゲーションシステムによる道案内の目的地を示すデータである。典型的には、目的地データ１６２は、目的地の緯度・経度で表される。ユーザにより目的地が設定された場合、制御部２０７は、車載器２００がＤＳＲＣ通信エリア内に入ると、目的地データ１６２に目的地を示す情報をセットしたアップリンク情報１６０を生成して、配信サーバ３００にアップリンクする。
【０２４４】
経由地データ１６３は、ユーザによって設定された、カーナビゲーションシステムによる道案内の経由地を示すデータである。典型的には、経由地データ１６３は、経由地の緯度・経度で表される。ユーザにより経由地が設定された場合、制御部２０７は、車載器２００がＤＳＲＣ通信エリア内に入ると、経由地データ１６３に経由地を示す情報をセットしたアップリンク情報１６０を生成して、配信サーバ３００にアップリンクする。本実施形態では、経由地データ１６３として、最大で５箇所の経由地（図中では経由地Ａ，経由地Ｂなどと記載）を示す情報を格納することができる。ただし、格納できる経由地の数は本発明によって限定されない。
【０２４５】
累計走行距離データ１６４は、車載器２００を搭載した車両の走行距離の累計値である。例えば、制御部２０７は、図２０（ｂ）に示すＤＳＲＣメインメニューからセットアップ画面が呼び出されユーザにより所定の設定操作がなされたときを基点として累計走行距離を計算し、計算された累積走行距離をセットしたアップリンク情報１６０を生成して、所定のタイミングで配信サーバ３００にアップリンクする。
【０２４６】
嗜好データ１６５は、ユーザの嗜好を示すデータである。上述のように、ユーザは、図２３に示す画面において、所望の分類項目にチェックマークをつける等して、サービス事業者に配信して欲しい情報を選択することができる。制御部２０７は、その選択結果を嗜好データ１６５として、記憶装置２０６に保存する。そして、制御部２０７は、嗜好データ１６５をセットしたアップリンク情報１６０を、所定のタイミングで配信サーバ３００にアップリンクする。
【０２４７】
会員データ１６６は、ユーザに関する様々な情報を格納できる。例えば、後述するようにユーザが車載器２００を用いて商品等の注文をする際、制御部２０７は、注文内容を示すデータを会員データ１６６に格納し、配信サーバ３００にアップリンクする。本実施形態では、会員データ１６６として、最大で８つの会員情報（図中では会員情報Ａ，会員情報Ｂなどと記載）を格納することができる。ただし、格納できる会員情報の数は本発明によって限定されない。
【０２４８】
以下の説明において、注文受付処理におけるアップリンク情報１６０を、次の［数１］のように表す。
【０２４９】
ＵＬ  ＝  （Ｉｄ（ｘ），Ｃｈ（ｙ））  ・・・  ［数１］
【０２５０】
ただし、ＵＬはアップリンク情報１６０を、パラメータＩｄ（ｘ）はディジタルデータ１５０に付されている識別符号を、パラメータＣｈ（ｙ）は注文内容を表す所定の文字列データを、それぞれ表す。本実施形態では、制御部２０７は、Ｉｄ（ｘ）を会員情報Ａに、Ｃｈ（Ｗ１）を会員情報Ｂに、それぞれ格納する。
【０２５１】
例えば、買い物かごボタン２８１０が押圧された場合に配信サーバ３００に送信されるアップリンク情報１６０は、［数２］のように表される。
【０２５２】
ＵＬ  ＝  （Ｉｄ（１６），Ｃｈ（Ｗ１））  ・・・  ［数２］
【０２５３】
この［数２］で表されるアップリンク情報１６０は、商品等の注文の依頼指示を示す情報である。
【０２５４】
制御部２０７は、路側無線機１００を介して、ＲＡＭ２０９に一時記憶されたアップリンク情報１６０を、配信サーバ３００へアップリンクする。ここでアップリンクされる情報は、買い物かごボタン２８１０が押下されたことによりユーザから注文が出された旨を示す情報である。ただし、この時点では注文はまだ確定されていない。配信サーバ３００は、出された注文が後述の処理によって確定された場合、アップリンク情報１６０に基づいて車載器２００からの商品等の注文を確定し、ショップに通知することができる。アップリンク処理の詳細については後述する。
【０２５５】
図２９において、画面遷移用ボタン２１０１がユーザによって押圧されると、制御部２０７は、ディジタルデータ１５０−１に格納されているメイン画像データ１１０４を再生して、図２５に示すような“ＴＯＰ画面”に遷移させる。
【０２５６】
次に、図２５において、初期化ボタン２５２０がユーザによって押圧されると、制御部２０７は、ディジタルデータ１５０−２２に格納されているメイン画像データ１１０４を再生して、図３０に示すような“初期化画面”に遷移させる。
【０２５７】
ディジタルデータ１５０−２２の次再生情報コード１３０１には、遷移先としてユーザが選択可能なディジタルデータ１５０−１を示す識別符号が予め対応付けられている。制御部２０７は、ディジタルデータ１５０−１を示す識別符号と画面遷移用ボタン２１０１とを関連付けた情報をＲＡＭ２０９に一時記憶する。このとき制御部２０７は、画面遷移用ボタン２１０２乃至２１０８については識別符号を関連付けず、ユーザによる画面遷移用ボタン２１０２乃至２１０８の押圧操作を受け付けない。
【０２５８】
更に、制御部２０７は、配信サーバ３００へのアップリンク情報１６０として、ディジタルデータ１５０−１を示す識別情報と、所定の第２種の文字列データＷ２とを対応付けた情報を、ＲＡＭ２０９に一時記憶する。
【０２５９】
第２種の文字列データＷ２とは、典型的には、文字列「初期化」等を表すデータである。ただし、初期化ボタン２５２０がユーザによって押圧されたことを判別できるのであれば、任意の文字列を採用することができる。また、文字列に限らず、初期化ボタン２５２０が押圧されたか否かを示すフラグ値、論理値、数値等を用いてもよい。
【０２６０】
初期化ボタン２５２０が押圧された場合に配信サーバ３００に送信されるアップリンク情報１６０は、次の［数３］で表される。
【０２６１】
ＵＬ  ＝  （Ｉｄ（１），Ｃｈ（Ｗ２））  ・・・  ［数３］
【０２６２】
この［数３］で表されるアップリンク情報１６０は、商品等の注文の取消指示（初期化指示）を示す情報である。
【０２６３】
制御部２０７は、路側無線装置１００を介して、ＲＡＭ２０９に一時記憶されたアップリンク情報１６０を、配信サーバ３００へアップリンクする。ここでアップリンクされる情報は、買い物かごボタン２８１０が押下されたことにより配信サーバ３００が受け付けていた注文を確定せずにキャンセルする旨を示す情報である。
【０２６４】
また、注文ボタン２５１０が押圧された場合、制御部２０７は、配信サーバ３００へのアップリンク情報１６０として、ディジタルデータ１５０−１を示す識別情報と、所定の第３種の文字列データＷ３とを対応付けた情報を、ＲＡＭ２０９に一時記憶する。
【０２６５】
第３種の文字列データＷ３とは、典型的には、文字列「注文」等を表すデータである。ただし、注文ボタン２５１０がユーザによって押圧されたことを判別できるのであれば、任意の文字列を採用することができる。また、文字列に限らず、注文ボタン２５１０が押圧されたか否かを示すフラグ値、論理値、数値等を用いてもよい。
【０２６６】
注文ボタン２５１０が押圧された場合に配信サーバ３００に送信されるアップリンク情報１６０は、次の［数４］で表される。
【０２６７】
ＵＬ  ＝  （Ｉｄ（１），Ｃｈ（Ｗ３））  ・・・  ［数４］
【０２６８】
この［数４］で表されるアップリンク情報１６０は、商品等の注文の依頼指示を示す情報である。
【０２６９】
次に、図２５において、注文ボタン２５１０がユーザによって押圧されると、制御部２０７は、ディジタルデータ１５０−２３に格納されているメイン画像データ１１０４を再生して、図３１に示すような“注文画面”に遷移させる。
【０２７０】
ディジタルデータ１５０−２３の次再生情報コード１３０１には、遷移先としてユーザが選択可能なディジタルデータ１５０−１を示す識別符号が予め対応付けられている。制御部２０７は、ディジタルデータ１５０−１を示す識別符号と、画面遷移用ボタン２１０１とを新たに関連付けた情報をＲＡＭ２０９に一時記憶する。このとき制御部２０７は、画面遷移用ボタン２１０２乃至２１０８については識別符号を関連付けず、ユーザによる画面遷移用ボタン２１０２乃至２１０８の押圧操作を受け付けない。
【０２７１】
また、制御部２０７は、ディジタルデータ１５０−２４を示す識別符号とクレジット支払いボタン３１１０とを関連付けた情報と、ディジタルデータ１５０−２５を示す識別符号と現金支払いボタン３１２０とを関連付けた情報と、ディジタルデータ１５０−１を示す識別符号とキャンセルボタン３１３０とを関連付けた情報と、ディジタルデータ１５０−２２を示す識別符号と初期化ボタン３１４０とを関連付けた情報とを、ＲＡＭ２０９に一時記憶する。ここで、これらの各種ボタン、クレジット支払ボタン３１１０、現金支払ボタン３１２０、キャンセルボタン３１３０、初期化ボタン３１４０は、詳細情報５０９（ＩＤ＝４０）の情報を基に描画される。
【０２７２】
クレジット支払いボタン３１１０は、買い物かごにリストアップされている商品等の代金をクレジットカードで支払う旨の指示入力をユーザから受け付けるボタンである。現金支払いボタン３１２０は、買い物かごにリストアップされている商品等の代金を現金で支払う旨の指示入力をユーザから受け付けるボタンである。キャンセルボタン３１３０は、注文を確定せずに一旦“ＴＯＰ画面”に戻る旨の指示入力をユーザから受け付けるボタンである。初期化ボタン３１１０は、買い物かごを空にする旨の指示入力をユーザから受け付けるボタンであり、上述の初期化ボタン２５２０と同等の機能を有するボタンである。
【０２７３】
クレジット支払いボタン３１１０が押圧された場合、制御部２０７は、配信サーバ３００へのアップリンク情報１６０として、ディジタルデータ１５０−２３を示す識別情報と、所定の第４種の文字列データＷ４とを対応付けた情報を、ＲＡＭ２０９に一時記憶する。
【０２７４】
第４種の文字列データＷ４とは、典型的には、文字列「クレジット支払い」等を表すデータである。ただし、クレジット支払いボタン３１１０がユーザによって押圧されたことを判別できるのであれば、任意の文字列を採用することができる。また、文字列に限らず、クレジット支払いボタン３１１０が押圧されたか否かを示すフラグ値、論理値、数値等を用いてもよい。
【０２７５】
クレジット支払いボタン３１１０が押圧された場合に配信サーバ３００に送信されるアップリンク情報１６０は、次の［数５］で表される。
【０２７６】
ＵＬ  ＝  （Ｉｄ（２３），Ｃｈ（Ｗ４））  ・・・  ［数５］
【０２７７】
この［数５］で表されるアップリンク情報１６０は、商品等の注文の決済指示（決済方法を指定する指示）を示す情報である。
【０２７８】
現金支払いボタン３１２０が押圧された場合、制御部２０７は、配信サーバ３００へのアップリンク情報１６０として、ディジタルデータ１５０−２４を示す識別情報と、所定の第５種の文字列データＷ５とを対応付けた情報を、ＲＡＭ２０９に一時記憶する。
【０２７９】
第５種の文字列データＷ５とは、典型的には、文字列「現金支払い」等を表すデータである。ただし、現金支払いボタン３１２０がユーザによって押圧されたことを判別できるのであれば、任意の文字列を採用することができる。また、文字列に限らず、現金ボタン３１２０が押圧されたか否かを示すフラグ値、論理値、数値等を用いてもよい。
【０２８０】
現金支払いボタン３１２０が押圧された場合に配信サーバ３００に送信されるアップリンク情報１６０は、次の［数６］で表される。
【０２８１】
ＵＬ  ＝  （Ｉｄ（２３），Ｃｈ（Ｗ５））  ・・・  ［数６］
【０２８２】
この［数６］で表されるアップリンク情報１６０も、商品等の注文の決済指示を示す情報である。
【０２８３】
キャンセルボタン３１３０が押圧された場合、制御部２０７は、配信サーバ３００へのアップリンク情報１６０として、ディジタルデータ１５０−２３を示す識別情報と、所定の第６種の文字列データＷ６とを対応付けた情報を、ＲＡＭ２０９に一時記憶する。
【０２８４】
第６種の文字列データＷ６とは、典型的には、文字列「キャンセル」等を表すデータである。ただし、キャンセルボタン３１３０がユーザによって押圧されたことを判別できるのであれば、任意の文字列を採用することができる。また、文字列に限らず、キャンセルボタン３１３０が押圧されたか否かを示すフラグ値、論理値、数値等を用いてもよい。
【０２８５】
キャンセルボタン３１３０が押圧された場合に配信サーバ３００に送信されるアップリンク情報１６０は、次の［数７］で表される。
【０２８６】
ＵＬ  ＝  （Ｉｄ（２３），Ｃｈ（Ｗ６））  ・・・  ［数７］
【０２８７】
この［数７］で表されるアップリンク情報１６０は、商品等の注文の取消指示を示す情報である。
【０２８８】
初期化ボタン３１４０が押圧された場合、制御部２０７は、配信サーバ３００へのアップリンク情報１６０として、ディジタルデータ１５０−２２を示す識別情報と、上述の所定の第２種の文字列データＷ２とを対応付けた情報を、ＲＡＭ２０９に一時記憶する。
【０２８９】
初期化ボタン３１４０が押圧された場合に配信サーバ３００に送信されるアップリンク情報１６０は、次の［数８］で表される。
【０２９０】
ＵＬ  ＝  （Ｉｄ（２２），Ｃｈ（Ｗ２））  ・・・  ［数８］
【０２９１】
この［数８］で表されるアップリンク情報１６０も、商品等の注文の取消指示（初期化指示）を示す情報である。
【０２９２】
制御部２０７は、路側機２００を介して、ＲＡＭ２０９に一時記憶されたアップリンク情報１６０を、配信サーバ３００へアップリンクする。
【０２９３】
次に、図３１において、クレジット支払いボタン３１１０がユーザによって押圧されると、制御部２０７は、ディジタルデータ１５０−２４に格納されているメイン画像データ１１０４を再生して、図３２に示すような“クレジット支払確認画面”に遷移させる。
【０２９４】
制御部２０７は、ディジタルデータ１５０−２６を示す識別符号とＹＥＳボタン３２１０とを関連付けた情報と、ディジタルデータ１５０−２３を示す識別符号とＮＯボタン３２２０とを関連付けた情報とを、ＲＡＭ２０９に一時記憶する。
【０２９５】
ＹＥＳボタン３２１０がユーザによって押圧されると、制御部２０７は、ディジタルデータ１５０−２６に格納されているメイン画像データ１１０４を再生して、図３３に示すような注文完了を知らせる“お知らせ画面”に遷移させる。
【０２９６】
ディジタルデータ１５０−２６の次再生情報コード１３０１には、遷移先としてユーザが選択可能なディジタルデータ１５０−１を示す識別符号が予め対応付けられている。制御部２０７は、ディジタルデータ１５０−１を示す識別符号と画面遷移用ボタン２１０１とを新たに関連付けた情報をＲＡＭ２０９に一時記憶する。このとき制御部２０７は、画面遷移用ボタン２１０２乃至２１０８については識別符号を関連付けず、ユーザによる画面遷移用ボタン２１０２乃至２１０８の押圧操作を受け付けない。
【０２９７】
制御部２０７は、配信サーバ３００へのアップリンク情報１６０として、ディジタルデータ１５０−２４を示す識別情報と、所定の第７種の文字列データＷ７とを対応付けた情報を、ＲＡＭ２０９に一時記憶する。
【０２９８】
第７種の文字列データＷ７とは、典型的には、文字列「確定」等を表すデータである。ただし、ＹＥＳボタン３２２０がユーザによって押圧されたことを判別できるのであれば、任意の文字列を採用することができる。また、文字列に限らず、ＹＥＳボタン３２１０が押圧されたか否かを示すフラグ値、論理値、数値等を用いてもよい。
【０２９９】
ＹＥＳボタン３２１０が押圧された場合に配信サーバ３００に送信されるアップリンク情報１６０は、次の［数９］で表される。
【０３００】
ＵＬ  ＝  （Ｉｄ（２４），Ｃｈ（Ｗ７））  ・・・  ［数９］
【０３０１】
この［数９］で表されるアップリンク情報１６０は、商品等の注文の依頼指示（確定指示）を示す情報である。
【０３０２】
［数９］で表されるアップリンク情報１６０を配信サーバ３００が受信することにより、代金をクレジット支払いとする商品等の注文が確定される。確定された注文は配信サーバ３００によってショップに通知される。
【０３０３】
一方、ＮＯボタン３２２０がユーザによって押圧されると、制御部２０７は、ディジタルデータ１５０−２３に格納されているメイン画像データ１１０４を再生して、図３１に示すような“注文画面”に戻す。
【０３０４】
制御部２０７は、配信サーバ３００へのアップリンク情報１６０として、ディジタルデータ１５０−２３を示す識別情報と、所定の第８種の文字列データＷ８とを対応付けた情報を、ＲＡＭ２０９に一時記憶する。
【０３０５】
第８種の文字列データＷ８とは、典型的には、文字列「クレジット削除」等を表すデータである。ただし、ＮＯボタン３２２０がユーザによって押圧されたことを判別できるのであれば、任意の文字列を採用することができる。また、文字列に限らず、ＮＯボタン３２２０が押圧されたか否かを示すフラグ値、論理値、数値等を用いてもよい。
【０３０６】
ＮＯボタン３２２０が押圧された場合に配信サーバ３００に送信されるアップリンク情報１６０は、次の［数１０］で表される。
【０３０７】
ＵＬ  ＝  （Ｉｄ（２３），Ｃｈ（Ｗ８））  ・・・  ［数１０］
【０３０８】
この［数１０］で表されるアップリンク情報１６０は、商品等の注文の決済指示（決済方法を変更する指示）を示す情報である。
【０３０９】
ここで配信サーバ３００にアップリンクされる情報は、既にアップリンクしていたアップリンク情報１６０であって、クレジットカードで支払う旨の注文内容を示すアップリンク情報１６０を削除する旨を示す情報である。
【０３１０】
本実施形態では、図３２に示す“クレジット支払い確認画面”を再生してから所定時間以内に、ＹＥＳボタン３２１０とＮＯボタン３２２０のいずれもユーザによって押圧されない場合、制御部２０７は、ＮＯボタン３２２０が押圧されたものと見なし、図３１の“注文画面”に戻す。
【０３１１】
次に、図３１において、現金支払いボタン３１２０がユーザによって押圧されると、制御部２０７は、ディジタルデータ１５０−２５に格納されているメイン画像データ１１０４を再生して、図３４に示すような“現金支払確認画面”に遷移させる。
【０３１２】
制御部２０７は、ディジタルデータ１５０−２６を示す識別符号とＹＥＳボタン３２１０とを関連付けた情報と、ディジタルデータ１５０−２３を示す識別符号とＮＯボタン３２２０とを関連付けた情報とを、ＲＡＭ２０９に一時記憶する。
【０３１３】
ＹＥＳボタン３２１０がユーザによって押圧されると、制御部２０７は、クレジット支払いボタン３１１０が押圧された場合と同様、ディジタルデータ１５０−２６に格納されているメイン画像データ１１０４を再生して、図３３に示すような注文完了を知らせる“お知らせ画面”に遷移させる。
【０３１４】
ＹＥＳボタン３２１０が押圧された場合に配信サーバ３００に送信されるアップリンク情報１６０は、次の［数１１］で表される。
【０３１５】
ＵＬ  ＝  （Ｉｄ（２５），Ｃｈ（Ｗ７））  ・・・  ［数１１］
【０３１６】
この［数１１］で表されるアップリンク情報１６０は、商品等の注文の依頼指示（確定指示）を示す情報である。
【０３１７】
［数１１］で表されるアップリンク情報１６０を配信サーバ３００が受信することにより、代金を現金払いとする商品等の注文が確定される。確定された注文は配信サーバ３００によりショップに通知される。
【０３１８】
次に、注文受付処理における車載器２００側の処理と配信サーバ３００側の処理について説明する。
【０３１９】
（注文受付処理；その１）
図３６と図３７は、注文受付処理において、ユーザから商品（又は役務）の注文を受け付けて確定するまでの処理の流れを説明するための図である。ここでは、ユーザがクレジット支払いで商品等を購入する場面を想定して説明する。
【０３２０】
注文受付処理にはアップリンク処理が含まれる。アップリンク情報１６０は、厳密には、車載器２００から路側無線装置１００にＤＳＲＣにより送信された後、路側無線装置１００から配信サーバ３００にＩＴＳ通信網ＮＷ２を介して送信されるのであるが、本発明内容をより理解しやすいように、路側無線装置１００に関する記載を図面から省略している。
【０３２１】
なお、配信サーバ３００は、所定の時間間隔（ポーリング間隔）で定期的にアップリンク情報１６０の送信を車載器２００に要求し、車載器２００の制御部２０７は、この要求に応答して何らかのアップリンク情報１６０を生成して送信するものとする。例えば、車載器２００は、所定の時間間隔で車載器２００の現在位置を取得して配信サーバ３００にアップリンクする。そして、制御部２０７は、上記［数２］乃至［数１０］で表されるアップリンク情報１６０を生成した場合に、車載器２００の現在位置と共に、アップリンク情報１６０を送信する。なお、通信トラフィックが過大とならない程度に、所定の時間間隔を短くすることが望ましい。
【０３２２】
まず、車載器２００の制御部２０７は、ディジタルコンテンツの再生を開始するか否かを判別する（ステップＳ３６０１）。例えば、制御部２０７は、図２１（ａ）に示すようなメニュー画面からショップのディジタルコンテンツの再生を開始する指示入力をユーザから受け付けた場合に、再生を開始すると判別し、それ以外の場合に、再生を開始しないと判別する。
【０３２３】
再生を開始しないと判別した場合（ステップＳ３６０１；ＮＯ）、制御部２０７は、再生を開始する旨の指示入力を受け付けるまで待機する。一方、再生を開始すると判別した場合（ステップＳ３６０１；ＹＥＳ）、制御部２０７は、路側無線装置１００を介して、配信サーバ３００にディジタルデータ１５０の配信を要求する（ステップＳ３６０２）。
【０３２４】
配信サーバ３００の制御部３０６は、ディジタルデータ１５０を配信する旨の要求を路側無線装置１００を介して受信する（ステップＳ３６０３）。
【０３２５】
更に、制御部３０６は、要求されたディジタルデータ１５０を、蓄積型のデータとして、路側無線装置１００を介して車載器２００に配信する（ステップＳ３６０４）。
【０３２６】
上述のように、ディジタルデータ１５０の即時再生／蓄積コード８０１には、車載器２００が受信後直ちに再生を開始する「即時型」のデータか、あるいは、車載器２００が受信後記憶装置２０６に格納し仮に車載器２００が通信エリア外に出たとしても再生を開始できる「蓄積型」のデータか、を指定する情報が設定される。配信サーバ３００の制御部３０６は、配信するディジタルデータ１５０毎に、即時型か蓄積型かを設定して、配信する。
【０３２７】
車載器２００の制御部２０７は、要求したディジタルデータ１５０を、路側無線装置１００を介して受信し、記憶装置２０６に格納し、再生する（ステップＳ３６０５）。
【０３２８】
ステップＳ３６０３で要求されるディジタルデータ１５０には、少なくとも“ＴＯＰ画面”のディジタルデータ１５０−１が含まれる。本実施形態では、制御部２０７は、ステップＳ３６０２において、注文される可能性のある商品（又は役務）のメニューを示すディジタルデータ１５０−１乃至１５０−２０の送信を要求して受信し、ステップＳ３６０５において、受信したディジタルデータ１５０−１乃至１５０−２０を記憶装置２０６に格納するものとする。ただし、車載器２００が最新のディジタルデータ１５０−１乃至１５０−２０を受信済みであり記憶装置２０６に既に格納している場合には、制御部２０７は、再びディジタルデータ１５０−１乃至１５０−２０の配信を要求しなくてもよい。
【０３２９】
次に、制御部２０７は、買い物かごボタン２８１０がユーザにより押圧されたか否かを判別する（ステップＳ３６０６）。
【０３３０】
買い物かごボタン２８１０が押圧されていない場合（ステップＳ３６０６；ＮＯ）、制御部２０７はステップＳ３６０５に戻りディジタルデータ１５０を継続して再生する。一方、買い物かごボタン２８１０が押圧された場合（ステップＳ３６０６；ＹＥＳ）、制御部２０７は、［数２］で表されるアップリンク情報１６０を生成して路側無線装置１００を介して、配信サーバ３００に送信する（ステップＳ３６０７）。
【０３３１】
配信サーバ３００の制御部３０６は、路側無線装置１００を介して車載器２００からアップリンク情報１６０を受信する（ステップＳ３６０８）。
【０３３２】
配信サーバ３００の制御部３０６は、［数２］で表されるアップリンク情報１６０を受信すると、“買い物かご画面”のディジタルデータ１５０−２１を、即時型のデータとして、路側無線装置１００を介して配信する（ステップＳ３６０９）。また、制御部３０６は、［数２］で表されるアップリンク情報１６０が示す商品（又は役務）をユーザによる注文内容とする注文データを記憶装置３０５に記憶させる。
【０３３３】
車載器２００の制御部２０７は、路側無線装置１００を介して配信サーバ３００からディジタルデータ１５０−２１を受信し、直ちに再生する（ステップＳ３６１０）。例えば、制御部２０７は、図２９に示すような画面をモニターに表示する。画面遷移用ボタン２１０１が押下されると、制御部２０７は、“ＴＯＰ画面”に遷移させる。
【０３３４】
次に、制御部２０７は、注文ボタン２５１０がユーザにより押圧されたか否かを判別する（ステップＳ３６１１）。
【０３３５】
注文ボタン２５１０が押圧されていない場合（ステップＳ３６１１；ＮＯ）、制御部２０７はステップＳ３６１０に戻りディジタルデータ１５０−１乃至１５０−２０のいずれかを再生する。一方、注文ボタン２５１０が押圧された場合（ステップＳ３６１１；ＹＥＳ）、制御部２０７は、［数４］で表されるアップリンク情報１６０を生成して、路側無線装置１００を介して配信サーバ３００に送信する（ステップＳ３６１２）。
【０３３６】
配信サーバ３００の制御部３０６は、路側無線装置１００を介して車載器２００からアップリンク情報１６０を受信する（ステップＳ３６１３）。
【０３３７】
配信サーバ３００の制御部３０６は、［数４］で表されるアップリンク情報１６０を受信すると、“注文画面”のディジタルデータ１５０−２３を、即時型のデータとして、路側無線装置１００を介して配信する（ステップＳ３６１４）。
【０３３８】
車載器２００の制御部２０７は、路側無線装置１００を介してディジタルデータ１５０−２３を受信し、直ちに再生する（ステップＳ３６１５）。例えば、制御部２０７は、図３１に示すような画面をモニターに表示する。
【０３３９】
次に、制御部２０７は、クレジット支払いボタン３１１０がユーザにより押圧されたか否かを判別する（ステップＳ３６１６）。
【０３４０】
クレジット支払いボタン３１１０が押圧されていない場合（ステップＳ３６１６；ＮＯ）、制御部２０７はステップＳ３６１５に戻りディジタルデータ１５０−１乃至１５０−２０及び１５０−２３のいずれかを再生する。一方、クレジット支払いボタン３１１０が押圧された場合（ステップＳ３６１６；ＹＥＳ）、制御部２０７は、［数５］で表されるアップリンク情報１６０を生成して、配信サーバ３００に路側無線装置１００を介して送信する（図３７；ステップＳ３７０１）。また、制御部３０６は、［数５］で表されるアップリンク情報１６０が示す支払い方法をユーザによる注文内容とする注文データを記憶装置３０５に記憶させる。
【０３４１】
配信サーバ３００の制御部３０６は、路側無線装置１００を介して車載器２００からアップリンク情報１６０を受信する（ステップＳ３７０２）。
【０３４２】
配信サーバ３００の制御部３０６は、［数５］で表されるアップリンク情報１６０を受信すると、“クレジット支払い確認画面”のディジタルデータ１５０−２４を、即時型のデータとして、路側無線装置１００を介して車載器２００に配信する（ステップＳ３７０３）。
【０３４３】
また、制御部３０６は、車載器２００が正規に登録されたものであるか否かを認証するための確認データを送信する旨の要求を、路側無線装置１００を介して車載器２００に送信する（ステップＳ３７０４）。
【０３４４】
車載器２００の制御部２０７は、確認データを送信する旨の要求を受信する（ステップＳ３７０５）。
【０３４５】
制御部２０７は、確認データとして車載器２００に固有のシリアルナンバーやユーザ名等を格納したアップリンク情報１６０を生成し、路側無線装置１００を介して配信サーバ３００に送信する（ステップＳ３７０６）。
【０３４６】
また、制御部２０７は、ステップＳ３７０３で受信したディジタルデータ１５０−２４を再生する（ステップＳ３７０７）。例えば、制御部２０７は、図３２に示すような画面をモニターに表示する。
【０３４７】
配信サーバ３００の制御部３０６は、確認データが格納されたアップリンク情報１６０を、路側無線装置１００を介して車載器２００から受信する（ステップＳ３７０８）。
【０３４８】
そして、制御部３０６は、受信した確認データと、記憶装置３０５に予め記憶されているアカウントデータベースに登録されているデータとを照合し、車載器２００が正規に登録されたものであるか否かを認証する（ステップＳ３７０９）。
【０３４９】
認証の結果、正規の車載器２００であると認証された場合（ステップＳ３７０９；ＹＥＳ）、配信サーバ３００の制御部３０６は、正しく認証された旨を車載器２００に通知する。
【０３５０】
車載器２００の制御部２０７は、この通知を受信し、自己が正しく認証されたか否かを判別する（ステップＳ３７１０）。
【０３５１】
正しく認証されなかった場合（ステップＳ３７１０；ＮＯ）、制御部２０７は注文受付処理を終了する。一方、正しく認証された場合（ステップＳ３７１０；ＹＥＳ）、制御部２０７は、ＹＥＳボタン３２１０がユーザにより押圧されたか否かを判別する（ステップＳ３７１１）。
【０３５２】
ＹＥＳボタン３２１０が押圧されていない場合（ステップＳ３７１１；ＮＯ）、制御部２０７はステップＳ３７０７に戻りディジタルデータ１５０−１乃至１５０−２０及び１５０−２３乃至１５０−２４のいずれかを再生する。一方、ＹＥＳボタン３２１０が押圧された場合（ステップＳ３７１１；ＹＥＳ）、制御部２０７は、［数９］で表されるアップリンク情報１６０を生成して、路側無線装置１００を介して配信サーバ３００に送信する（ステップＳ３７１２）。
【０３５３】
配信サーバ３００の制御部３０６は、路側無線装置１００を介して車載器２００からアップリンク情報１６０を受信する（ステップＳ３７１３）。
【０３５４】
配信サーバ３００の制御部３０６は、［数９］で表されるアップリンク情報１６０を受信すると、“お知らせ画面”のディジタルデータ１５０−２６を、即時型のデータとして、路側無線装置１００を介して車載器２００に配信する（ステップＳ３７１４）。
【０３５５】
また、制御部３０６は、ユーザによる注文を確定し、ショップが有する端末（図示せず）に注文データを送信することにより、発注する（ステップＳ３７１５）。
【０３５６】
このとき、注文データが示す注文内容は、
（ａ）注文する商品（又は役務）と個数が、［数２］で表されるアップリンク情報１６０が示す商品（又は役務）と個数であり、
（ｂ）支払い方法が、［数５］で表されるアップリンク情報１６０が示す支払い方法である、
という内容である。
【０３５７】
車載器２００の制御部２０７は、路側無線装置１００を介してディジタルデータ１５０−２６を受信し、直ちに再生する（ステップＳ３７１６）。例えば、制御部２０７は、図３３に示すような画面をモニターに表示する。
【０３５８】
一方、ステップＳ３７０９の認証の結果、正規の車載器２００ではないと認証された場合（ステップＳ３７０９；ＮＯ）、配信サーバ３００の制御部３０６は、正しく認証されなかった旨を車載器２００に通知し、注文受付処理を終了する。
【０３５９】
以上の処理により、ユーザからの注文が所定のショップ端末（ショップ側の注文受付端末）に送られる。ユーザは、車載器２００のタッチパネルを操作するだけで所望の注文を簡単に出すことができる。
【０３６０】
上記説明において、ユーザがクレジット支払いで商品等を購入する場面を想定したが、現金支払いで商品等を購入する場合も同様の処理を行うことでユーザから注文を受け付けることができる。なお、現金支払いの場合には、ステップＳ３７０４乃至Ｓ３７０６及びＳ３７０８乃至Ｓ３７１０を省略し、配信サーバ３００の制御部３０６が“現金支払い確認画面”のディジタルデータ１５０−２５を即時型で配信した後（ステップＳ３７０３）、車載器２００の制御部２０７が直ちにディジタルデータ１５０−２５を再生する（ステップＳ３７０７）ことができる。
【０３６１】
（注文受付処理；その２）
図３８は、注文受付処理において、ユーザが一度買い物かごの中に入れた商品（又は役務）の候補を削除する処理の流れを説明するための図である。ここでは、上述のステップＳ３６０１乃至Ｓ３６１５の処理を実行した後、買い物かごを空にする場面を想定して説明する。
【０３６２】
まず、制御部２０７は、ステップＳ３６１５において“注文画面”のディジタルデータ１５０−２３を再生している場合に、初期化ボタン３１４０がユーザにより押圧されたか否かを判別する（ステップＳ３８０１）。
【０３６３】
初期化ボタン３１４０が押圧されていない場合（ステップＳ３８０１；ＮＯ）、制御部２０７はステップＳ３６１５に戻りディジタルデータ１５０−１乃至１５０−２０及び１５０−２３のいずれかを再生する。一方、初期化ボタン３１４０が押圧された場合（ステップＳ３８０１；ＹＥＳ）、制御部２０７は、［数３］で表されるアップリンク情報１６０を生成して、配信サーバ３００に路側無線装置１００を介して送信する（ステップＳ３８０２）。
【０３６４】
配信サーバ３００の制御部３０６は、路側無線装置１００を介して車載器２００からアップリンク情報１６０を受信する（ステップＳ３８０３）。
【０３６５】
配信サーバ３００の制御部３０６は、［数３］で表されるアップリンク情報１６０を受信すると、“初期化画面”のディジタルデータ１５０−２２を、即時型のデータとして、路側無線装置１００を介して車載器２００に配信する（ステップＳ３８０４）。
【０３６６】
配信サーバ３００の制御部３０６は、記憶装置３０５に格納していた注文データを削除する。言い換えれば、買い物かごを空にする。
【０３６７】
車載器２００の制御部２０７は、路側無線装置１００を介してディジタルデータ１５０−２２を受信し、直ちに再生する（ステップＳ３８０５）。例えば、制御部２０７は、図３０に示すような画面をモニターに表示する。
【０３６８】
そして、制御部２０７は、ステップＳ３６０５に戻り、注文のやり直しを受け付ける。
【０３６９】
なお、“注文画面”の初期化ボタン３１４０の代わりに、“ＴＯＰ画面”の初期化ボタン２５２０が押圧された場合も同様の処理を行う。すなわち、制御部２０７は、ステップＳ３８０１において、初期化ボタン２５２０がユーザにより押圧されたか否かを判別すればよい。
【０３７０】
また、“注文画面”の初期化ボタン３１４０の代わりに、キャンセルボタン３１３０が押圧された場合、ステップＳ３８０４を省略することができる。すなわち、配信サーバ３００の制御部３０６は、ステップＳ３８０３でアップリンク情報１６０を受信した後、ディジタルデータ１５０−２２を配信しない。そして、車載器２００の制御部２０７は、既に受信済みの“ＴＯＰ画面”のディジタルデータ１５０−１を再生し、注文のやり直しを受け付ける。
【０３７１】
以上のように、本実施形態によれば、ユーザは、簡単な操作だけで所望の商品や役務を注文することができる。例えば、ユーザが車両の中から注文できる形態（いわゆる“ドライブスルー”）において本発明を適用すれば、ユーザは、店員や周りの他の客などの目を気にすることなく自分のペースで所望の注文を出すことができる。
【０３７２】
（実施形態２）
次に、本発明のその他の実施形態について説明する。上記実施形態では、車載器２００がアップリンク情報１６０にディジタルデータ１５０の識別符号と所定の文字列データを格納して配信サーバ３００にアップリンクすることにより、ユーザが容易に商品等を注文できるようにしている。しかし、上述のアップリンク情報１６０は、商品等の注文のためだけでなく、他の様々な用途に適用可能である。
【０３７３】
本実施形態は、例えば図１９（ｂ）における、ポップアップで表示された情報より更に詳しい情報を再生する旨の指示入力をユーザから受け付けるボタン（以下「詳細情報ボタン」という。）１９０２がユーザにより押圧された場合に、車載器２００と配信サーバ３００が実行する処理である。以下詳述する。
【０３７４】
図３９は、詳細情報出力処理を説明するためのフローチャートである。
図４０は、車載器２００が現在再生しているディジタルデータ１５０を示す識別符号と、所定の文字列データと、詳細情報ボタン１９０２が押圧されたときの遷移先のディジタルデータ１５０を示す識別符号と、を対応付けた情報（以下「遷移先テーブル」という。）４０１０の構成例を示す図である。遷移先テーブル４０１０は、配信サーバ３００の記憶装置３０５に予め格納されている。
【０３７５】
遷移先テーブル４０１０には、車載器２００が現在再生しているディジタルデータ１５０を示す識別符号に、任意の文字列データを対応付けることができる。
【０３７６】
図４０に示すように、車載器２００が現在再生しているディジタルデータ１５０を示す同一の識別符号について、異なる文字列データと、異なる遷移先のディジタルデータ１５０の識別符号とを対応付けることができる。
【０３７７】
例えば、同一の識別符号“１２３４”について、文字列「地図」及び遷移先のディジタルデータ１５０の識別符号“５６７８”を対応付けるレコードと、文字列「クーポン」及び遷移先のディジタルデータ１５０の識別符号“９８７６”を対応付けるレコードと、を設けることが可能である。
【０３７８】
次に、詳細情報出力処理について詳しく説明する。
まず、車載器２００の制御部２０７は、車載器２００が情報提供地点情報５０７によって設定される所定の再生条件が満たされると、図１９（ｂ）に示すように、上述のポップアップ用コンテンツデータを再生して表示すると共に、詳細情報ボタン１９０２を表示する（ステップＳ３９０１）。
【０３７９】
制御部２０７は、詳細情報ボタン１９０２がユーザによって押圧されたか否かを判別する（ステップＳ３９０２）。
【０３８０】
詳細情報ボタン１９０２が押圧されていない場合（ステップＳ３９０２；ＮＯ）、制御部２０７は、引き続きポップアップ用コンテンツデータの再生画面と詳細情報ボタン１９０２を表示する。
【０３８１】
一方、詳細情報ボタン１９０２が押圧された場合（ステップＳ３９０２；ＹＥＳ）、制御部２０７は、［数１２］に示されるアップリンク情報１６０を生成して（ステップＳ３９０３）、ＲＡＭ２０９に一時記憶する。
【０３８２】
ＵＬ  ＝  （Ｉｄ（ｘ），Ｃｈ（Ｗ９））  ・・・  ［数１２］
【０３８３】
ここで、パラメータＣｈ（Ｗ９）は、所定の第９種の文字列データＷ９を示すデータである。所定の第９種の文字列データＷ９は、現在表示している詳細情報ボタン１９０２に予め対応付けられている文字列のデータである。
【０３８４】
例えば、詳細情報ボタン１９０２が、ショップの周辺地図についての詳細な情報を表示する旨の指示入力を受け付けるボタンの場合、第９種の文字列データＷ９には「地図」等の文字列を示すデータが格納される。
【０３８５】
例えば、詳細情報ボタン１９０２が、ショップが提供するクーポン券についての詳細な情報を表示する旨の指示入力を受け付けるボタンの場合、第９種の文字列データＷ９には「クーポン」等の文字列を示すデータが格納される。
【０３８６】
第９種の文字列データＷ９には、任意の文字列データを格納することができる。また、文字列に限らず、詳細情報ボタン１９０２が押圧されたか否かを示すフラグ値、論理値、数値等を用いてもよい。
【０３８７】
制御部２０７は、ステップＳ３９０３で生成したアップリンク情報１６０を、路側無線装置１００を介して配信サーバ３００に送信する（ステップＳ３９０４）。
【０３８８】
配信サーバ３００の制御部３０６は、アップリンク情報１６０を受信する（ステップＳ３９０５）。
【０３８９】
更に、制御部３０６は、遷移先テーブル４０１０を参照して、受信したアップリンク情報１６０が示す識別符号と文字列データとに対応付けられている、遷移先のディジタルデータ１５０を示す識別符号を特定して、車載器２００に送信する（ステップＳ３９０６）。
【０３９０】
例えば、図４０に示す遷移先テーブル４０１０を用い、車載器２００から送信されたアップリンク情報１６０が［数１３］で表されるとする。
【０３９１】
ＵＬ  ＝  （Ｉｄ（１２３４），Ｃｈ（“地図”））  ・・・  ［数１３］
【０３９２】
配信サーバ３００の制御部３０６は、遷移先のディジタルデータ１５０を示す識別符号として、識別符号“５６７８”を特定する。
【０３９３】
車載器２００の制御部２０７は、応答データとして、遷移先のディジタルデータ１５０を示す識別符号を配信サーバ３００から受信する（ステップＳ３９０７）。
【０３９４】
そして、制御部２０７は、ステップＳ３９０７で受信した識別符号が示すディジタルデータ１５０を再生して（ステップＳ３９０８）、画面を遷移させる。
【０３９５】
本実施形態によれば、車載器２００は、外見上同じ詳細情報ボタン１９０２が押圧された場合でも、ディジタルコンテンツの制作者側の意図した通りに遷移先を変えることができる。
【０３９６】
例えば、カーナビゲーションシステムによる道案内の再生中にポップアップ表示する場合の詳細情報ボタン１９０２には文字列「地図」を対応付けておく。それ以外の場合の詳細情報ボタン１９０２には文字列「クーポン」を対応付けておく。そして、制御部２０７は、カーナビゲーションシステムによる道案内の最中か否かによって、アップリンク情報１６０のパラメータＣｈ（Ｗ９）を使い分けることができる。道案内の最中にポップアップ用コンテンツデータをポップアップ表示するのであれば、ショップの場所が現在地からどうやって行けばよいのかを地図で詳しくユーザに教えることによって、ユーザが立ち寄りやすくなり、ショップに客が集まりやすくなる可能性がある。また、メインコンテンツデータを表示するのであれば、現在位置から少々離れていてもクーポン券等のようにユーザに有利なサービスをアピールすることによって、ユーザに目的地として設定してもらいやすくなり、ショップに客が集まりやすくなる可能性がある。本実施形態によれば、ユーザが商品等の注文を簡単にでき、且つ、ユーザがより知りたいと思っていると推測される詳細情報を適切に提供できるようになる。
【０３９７】
本発明は、上述した実施形態に限定されず、種々の変形及び応用が可能である。また、上述した実施形態の各構成要素を自由に組み合わせることも可能である。
【０３９８】
例えば、上述の注文受付処理において、ステップＳ３７１５の後、注文した商品等の引き渡しの準備が整うと、ショップの担当者は、商品等の引き渡しの準備ができた旨を、所定のショップ端末（ショップ側の注文受付端末）を操作して配信サーバ３００に通知する。配信サーバ３００の制御部３０６は、商品等の引き渡しの準備ができた旨を車載器２００に通知し、受け取り案内画面用のディジタルデータ１５０を配信する。そして、車載器２００の制御部２０７は、図４１に示すような画面を表示してユーザに知らせる。このようにすれば、受け取り準備が終わるまでユーザが長い時間拘束されることがないようにすることができるので、ユーザにとってより使いやすいシステムになる。
【０３９９】
また、受け取り案内画面に、１つの注文につき一意に定められる画像等を用いた情報を含め、ユーザにショップの店員に提示してもらう。典型的には、受け取り案内画面に注文ごとに固有の２次元バーコードを表示させ、ユーザに携帯電話のカメラなどで撮影してもらい、店員に提示してもらう。このようにすることで、商品等の引き渡しの間違いや不正行為等を防止できるようになる。
【０４００】
上記実施形態の注文受付処理及び詳細情報出力処理は、任意のディジタルコンテンツについて適用可能である。
【０４０１】
上記各実施形態はあくまでも説明のためのものであり、本願発明の範囲を限定するものではない。例えば、コンピュータを車載器２００の全部又は一部として動作させるためのコンピュータプログラムを、メモリカード、ＣＤ−ＲＯＭ、ＤＶＤ、ＭＯ（Magneto Optical Disk）などのコンピュータ読み取り可能な記録媒体に格納して配布し、これをコンピュータにインストールして車載器２００として動作させ、あるいは、車載器２００が行う工程を実行させてもよい。さらに、インターネット上のサーバ装置が有するディスク装置等にプログラムを格納しておき、例えば搬送波に重畳させて、コンピュータにダウンロード等するものとしてもよい。
【０４０２】
以上説明したように、本発明によれば、車内のユーザが商品等の注文を簡単にできるようにするために好適な情報提供システム、情報提供装置、情報提供サーバ、情報提供方法、ならびに、プログラムを提供することができる。
【符号の説明】
【０４０３】
１００  路側無線装置
１０１  無線通信部
１０２  通信制御部
１０３  記憶装置
１０４  制御部
１０５  ＲＯＭ
１０６  ＲＡＭ
１０７  システムバス
１５０  ディジタルデータ
１６０  アップリンク情報
２００  車載器
２０１  通信部
２０１ａ  ＧＰＳモジュール
２０１ｂ  ＤＳＲＣモジュール
２０２  音声処理部
２０３  出力部
２０４  操作部
２０５  Ｉ／Ｏ装置
２０６  記憶装置
２０７  制御部
２０８  ＲＯＭ
２０９  ＲＡＭ
２１０  システムバス
２２５  センサ群
３００  配信サーバ
３０１  入力部
３０２  出力部
３０３  第１の通信制御部
３０４  第２の通信制御部
３０５  記憶部
３０６  制御部
３０７  ＲＯＭ
３０８  ＲＡＭ
２１０１乃至２１０８  画面遷移用ボタン
２５１０  注文ボタン
２５２０  初期化ボタン
２８１０  買い物かごボタン
３１１０  クレジット支払いボタン
３１２０  現金支払いボタン
３１３０  キャンセルボタン
３１４０  初期化ボタン
３２１０  ＹＥＳボタン
３２２０  ＮＯボタン
【図１】
0005531842.tif 000002
【図２】
0005531842.tif 000003
【図３】
0005531842.tif 000004
【図４】
0005531842.tif 000005
【図５】
0005531842.tif 000006
【図６】
0005531842.tif 000007
【図７】
0005531842.tif 000008
【図８】
0005531842.tif 000009
【図９】
0005531842.tif 000010
【図１０】
0005531842.tif 000011
【図１１】
0005531842.tif 000012
【図１２】
0005531842.tif 000013
【図１３】
0005531842.tif 000014
【図１４】
0005531842.tif 000015
【図１５】
0005531842.tif 000016
【図１６】
0005531842.tif 000017
【図１７】
0005531842.tif 000018
【図１８】
0005531842.tif 000019
【図１９】
0005531842.tif 000020
【図２０】
0005531842.tif 000021
【図２１】
0005531842.tif 000022
【図２２】
0005531842.tif 000023
【図２３】
0005531842.tif 000024
【図２４】
0005531842.tif 000025
【図２５】
0005531842.tif 000026
【図２６】
0005531842.tif 000027
【図２７】
0005531842.tif 000028
【図２８】
0005531842.tif 000029
【図２９】
0005531842.tif 000030
【図３０】
0005531842.tif 000031
【図３１】
0005531842.tif 000032
【図３２】
0005531842.tif 000033
【図３３】
0005531842.tif 000034
【図３４】
0005531842.tif 000035
【図３５】
0005531842.tif 000036
【図３６】
0005531842.tif 000037
【図３７】
0005531842.tif 000038
【図３８】
0005531842.tif 000039
【図３９】
0005531842.tif 000040
【図４０】
0005531842.tif 000041
【図４１】
0005531842.tif 000042